(57)【特許請求の範囲】
【請求項１】
送信機が重畳符号化されたパケットを伝送電力レベルで送信することを含む方法であって、前記重畳符号化されたパケットは、
少なくとも一つの重畳符号化パケット・パラメータと少なくとも一つの非重畳符号化パケット・パラメータとを含むプリアンブルと、
第１のパケットと第２のパケットとを含むペイロードと
を含み、前記第１のパケットは、第１の多重アクセス手法に従ってフォーマット化され、前記第２のパケットは、前記第１の多重アクセス手法とは異なる第２の多重アクセス手法に従ってフォーマット化され、前記少なくとも一つの重畳符号化パケット・パラメータは、前記伝送電力レベルのうちの第１の部分的なレベルと前記伝送電力レベルのうちの第２の部分的なレベルとを含む電力割当情報を含み、前記第１の部分的なレベルは、前記第１のパケットに割当てられ、前記第２の部分的なレベルは、前記第２のパケットに割当てられ、前記第１のパケットは、第１の電力レベルで送信され、前記第２のパケットは、第２の電力レベルで送信される、方法。
【請求項２】
前記ペイロードは、第３の多重アクセス手法に従ってフォーマット化された第３のパケットを更に含む、請求項１の方法。
【請求項３】
前記第１の電力レベルは、前記第２の電力レベルとは異なる、請求項１の方法。
【請求項４】
前記第１の多重アクセス手法は第１の無線規格に基づき、前記第２の多重アクセス手法は第２の無線規格に基づく、請求項１の方法。
【請求項５】
前記第１の無線規格および前記第２の無線規格のうちの一方は、直交周波数分割多重（ＯＦＤＭ）または直交周波数分割多重アクセス（ＯＦＤＭＡ）規格を含む、請求項４の方法。
【請求項６】
伝送電力レベルでの送信のための重畳符号化パケットを記憶するコンピュータ可読記憶媒体であって、前記重畳符号化パケットは、
少なくとも一つの重畳符号化パケット・パラメータと少なくとも一つの非重畳符号化パケット・パラメータとを含むプレアンブルと、
第１のパケットと第２のパケットとを含むペイロードと、
を含み、前記第１のパケットは、第１の多重アクセス手法に従ってフォーマット化され、前記第２のパケットは、前記第１の多重アクセス手法とは異なる第２の多重アクセス手法に従ってフォーマット化され、前記少なくとも一つの重畳符号化パケット・パラメータは、前記伝送電力レベルのうちの第１の部分的なレベルと前記伝送電力レベルのうちの第２の部分的なレベルとを含む電力割当情報を含み、前記第１の部分的なレベルは、前記第１のパケットに割当てられ、前記第２の部分的なレベルは、前記第２のパケットに割当てられ、前記第１のパケットは、第１の電力レベルに関連づけられ、前記第２のパケットは、第２の電力レベルに関連づけられる、コンピュータ可読記憶媒体。
【請求項７】
前記ペイロードは、第３の多重アクセス手法に従ってフォーマット化された第３のパケットを更に含む、請求項６のコンピュータ可読記憶媒体。
【請求項８】
前記少なくとも一つの重畳符号化パケット・パラメータは、前記重畳符号化パケットにおけるパケット指向フォーマットの数、前記重畳符号化パケットの長さ、重畳符号化パケット・ユーザと関連したペイロード・サイズ、または重畳符号化パケット・ユーザと関連した物理アドレスを含む、請求項６のコンピュータ可読記憶媒体。
【請求項９】
前記少なくとも一つの非重畳符号化パケット・パラメータは、前記第１の多重アクセス手法および前記第２の多重アクセス手法の一つ以上によって決定される、請求項６のコンピュータ可読記憶媒体。
【請求項１０】
前記重畳符号化パケットは、時間スロットにおける少なくとも１つの上位層と前記時間スロットにおける少なくとも１つの下位層とを含み、前記時間スロットにおける前記少なくとも１つの下位層は、同報トラフィックを含み、前記時間スロットにおける前記少なくとも１つの上位層は、個別ユーザを対象としたユニキャストトラフィックを含む、請求項６のコンピュータ可読記憶媒体。
【請求項１１】
前記同報トラフィックは、特定の領域のための情報を含む、請求項１０のコンピュータ可読記憶媒体。
【請求項１２】
少なくとも一つの重畳符号化パケット・パラメータと少なくとも一つの非重畳符号化パケット・パラメータとを含むプレアンブルと、
第１のパケットと第２のパケットとを含むペイロードと、
を含み、伝送電力レベルで送信される重畳符号化パケットを受信し、
前記重畳符号化パケットをメモリに記憶するように構成され、
前記第１のパケットは、第１の多重アクセス手法に従ってフォーマット化され、前記第２のパケットは、前記第１の多重アクセス手法とは異なる第２の多重アクセス手法に従ってフォーマット化され、前記少なくとも一つの重畳符号化パケット・パラメータは、前記伝送電力レベルのうちの第１の部分的なレベルと前記伝送電力レベルのうちの第２の部分的なレベルとを含む電力割当情報を含み、前記第１の部分的なレベルは、前記第１のパケットに割当てられ、前記第２の部分的なレベルは、前記第２のパケットに割当てられ、前記第１のパケットは、第１の電力レベルに関連づけられ、前記第２のパケットは、第２の電力レベルに関連づけられる、装置。
【請求項１３】
前記第１の多重アクセス手法に基づいて前記第１のパケットを処理し、前記第２の多重アクセス手法に基づいて前記第２のパケットを処理するプロセッサを更に含む、請求項１２の装置。
【請求項１４】
前記第２の電力レベルは、前記第１の電力レベルとは異なる、請求項１２の装置。
【請求項１５】
少なくとも一つの重畳符号化パケット・パラメータと少なくとも一つの非重畳符号化パケット・パラメータとを含むプレアンブルと、
第１のパケットと第２のパケットとを含むペイロードと
を含み、伝送電力レベルでの送信のための重畳符号化パケットをコンパイルする手段と、
前記重畳符号化パケットを送信する手段と、
を具備し、
前記第１のパケットは、第１の多重アクセス手法に従ってフォーマット化され、前記第２のパケットは、前記第１の多重アクセス手法とは異なる第２の多重アクセス手法に従ってフォーマット化され、前記少なくとも一つの重畳符号化パケット・パラメータは、前記伝送電力レベルのうちの第１の部分的なレベルと前記伝送電力レベルのうちの第２の部分的なレベルとを含む電力割当情報を含み、前記第１の部分的なレベルは、前記第１のパケットに割当てられ、前記第２の部分的なレベルは、前記第２のパケットに割当てられ、前記第１のパケットは、第１の電力レベルに関連づけられ、前記第２のパケットは、第２の電力レベルに関連づけられる、装置。
【請求項１６】
前記第１の多重アクセス手法は第１の無線規格に基づき、前記第２の多重アクセス手法は第２の無線規格に基づく、請求項１５の装置。
【請求項１７】
前記第１の無線規格および前記第２の無線規格のうちの一方は、直交周波数分割多重（ＯＦＤＭ）または直交周波数分割多重アクセス（ＯＦＤＭＡ）規格を含む、請求項１５の装置。
【請求項１８】
前記ペイロードは第３の多重アクセス手法に従ってフォーマット化された第３のパケットを更に含む、請求項１５の方法。
【請求項１９】
前記重畳符号化パケットは少なくとも一つの同報サービス層を含む、請求項１５の装置。
【請求項２０】
前記重畳符号化パケットは少なくとも一つのユニキャストトラフィック層を含む、請求項１５の装置。
【請求項２１】
パケットを受信し、前記受信したパケットのプレアンブルに含まれる電力割当情報に基づいて、前記受信したパケットを重畳符号化パケットとして識別するように構成された受信機と、
部分的な電力の情報を復号するように構成され、前記受信したパケットを前記重畳符号化パケットとして識別することに応答して、第１の多重アクセス手法に従って前記重畳符号化パケットの第１のパケットを復号し、前記第１の多重アクセス手法とは異なる第２の多重アクセス手法に従って前記受信重畳符号化パケットの第２のパケットを復号するように構成された少なくとも１つの復号器と
を具備し、前記第１のパケットは、第１の電力レベルに関連づけられ、前記第２のパケットは、第２の電力レベルに関連づけられる、移動機器。
【請求項２２】
前記重畳符号化パケットは、より強いユーザに対するデータ・パケットとより弱いユーザに対するデータ・パケットとを含む、請求項２１の移動機器。
【請求項２３】
前記少なくとも１つの復号器は更に、前記より強いユーザに対する前記データ・パケットを干渉として扱い、干渉として扱われた前記より強いユーザに対するデータ・パケットを削除するように構成される、請求項２２の移動機器。
【請求項２４】
前記少なくとも一つの復号器は更に、前記より弱いユーザに対する前記データ・パケットを復号し、前記重畳符号化パケットから引算するように構成される、請求項２２の移動機器。
【請求項２５】
前記第１の多重アクセス手法は第１の無線規格に基づき、前記第２の多重アクセス手法は第２の無線規格に基づく、請求項２１の移動機器。
【請求項２６】
前記第１の無線規格および前記第２の無線規格のうちの一方は、直交周波数分割多重（ＯＦＤＭ）または直交周波数分割多重アクセス（ＯＦＤＭＡ）規格を含む、請求項２５の移動機器。
【請求項２７】
送信機を更に含む、請求項２１の移動機器。
【請求項２８】
前記送信機は、無線チャネルを介して要求データ速度（ＤＲＣ）を示しているデータを送信するように構成される、請求項２７の移動機器。
【請求項２９】
前記重畳符号化パケットは伝送電力レベルで送信され、更に、前記重畳符号化パケットのプレアンブルを読み取り、前記電力割当情報に基づいて、前記移動機器に割り当てられた前記伝送電力レベルの割合を算出するように構成されるロジックを含む、請求項２１の移動機器。
【請求項３０】
前記少なくとも一つの復号器は更に、前記移動機器に割り当てられた前記伝送電力レベルの前記算出された割合に基づいて、前記重畳符号化パケットを復号するように構成される、請求項２９の移動機器。
【請求項３１】
電子機器において重畳符号化パケットを受信することと、前記重畳符号化パケットは、伝送電力レベルで送信され、前記重畳符号化パケットは、第１の多重アクセス手法に従ってフォーマット化された第１のパケットと、前記第１の多重アクセス手法とは異なる第２の多重アクセス手法に従ってフォーマット化された第２のパケットとを含み、前記第１のパケットは、第１の電力レベルに関連づけられ、前記第２のパケットは、第２の電力レベルに関連づけられる、
前記重畳符号化パケットのプレアンブルを読み取ることと、
前記重畳符号化パケットのプレアンブルから読み取られた情報に基づいて、前記第１のパケットに割り当てられた前記伝送電力レベルの割合を算出することと、
前記電子機器に割り当てられた前記伝送電力レベルの前記算出された割合に基づいて、前記重畳符号化パケットを復号化することと、
を含む、方法。
【請求項３２】
前記重畳符号化パケットは、より強いユーザに対する第１のデータ・パケットとより弱いユーザに対する第２のデータ・パケットとを含む、請求項３１の方法。
【請求項３３】
前記重畳符号化パケットを復号化することは、前記より強いユーザに対する前記第１のデータ・パケットを干渉として扱うことと、干渉として扱われた前記より強いユーザに対する前記第１のデータ・パケットを削除することとを含む、請求項３２の方法。
【請求項３４】
前記重畳符号化パケットを復号化することは、前記より弱いユーザに対する前記第２のデータ・パケットを復号し、前記重畳符号化パケットから引算することを含む、請求項３２の方法。
【請求項３５】
前記重畳符号化パケットのプレアンブルから読み取られた情報は、前記第１のパケットの要求データ速度およびパケット・フォーマットを含む、請求項３１の方法。
【請求項３６】
プロセッサによって実行されたとき、前記プロセッサに、
電子機器において重畳符号化パケットを受信させ、前記重畳符号化パケットは、伝送電力レベルで送信され、前記重畳符号化パケットは、第１の多重アクセス手法に従ってフォーマット化された第１のパケットと第２の多重アクセス手法に従ってフォーマット化された第２のパケットとを含み、前記第１のパケットは、第１の電力レベルに関連づけられ、前記第２のパケットは、第２の電力レベルに関連づけられ、
前記重畳符号化パケットのプレアンブルを読み取らせ、
前記重畳符号化パケットのプレアンブルから読み取られた情報に基づいて、前記第１のパケットに割り当てられた前記伝送電力レベルの割合を算出させ、
前記第１のパケットに割り当てられた前記伝送電力レベルの前記算出された割合に基づいて、前記第１のパケットを復号させる
命令を含むコンピュータ可読記憶媒体。
【請求項３７】
前記プロセッサによって実行されると、前記プロセッサに、より強いユーザのための前記重畳符号化パケットのデータ・パケットを干渉として扱わせ、干渉として扱われた前記より強いユーザのための前記データ・パケットを削除させる命令を更に含む、請求項３６のコンピュータ可読記憶媒体。
【請求項３８】
前記重畳符号化パケットを受信するための手段と、前記重畳符号化パケットは、伝送電力レベルで送信され、前記重畳符号化パケットは、第１の多重アクセス手法に従ってフォーマット化された第１のパケットと、第２の多重アクセス手法に従ってフォーマット化された第２のパケットとを含み、前記第１のパケットは、第１の電力レベルに関連づけられ、前記第２のパケットは、第２の電力レベルに関連づけられる、
前記重畳符号化パケットのプレアンブルを読み取るための手段と、
前記重畳符号化パケットのプレアンブルから読み取られた情報に基づいて、前記第１のパケットと前記第２のパケットとに割り当てられた伝送電力レベルの割合を算出するための手段と、
前記第１の多重アクセス手法に従って前記受信された重畳符号化パケットの前記第１のパケットを復号するための手段と、
前記第２の多重アクセス手法に従って前記受信された重畳符号化パケットの前記第２のパケットを復号するための手段と、
を含む、移動機器。
【請求項３９】
前記第１の多重アクセス手法は、前記第２の多重アクセス手法とは異なる、請求項３８の移動機器。
【請求項４０】
前記パケットは、伝送電力レベルで送信され、前記電力割当情報は、前記伝送電力レベルのうちの第１の部分的なレベルと、前記伝送電力レベルのうちの第２の部分的なレベルとを含み、前記第１の部分的なレベルは、前記第１のパケットに割当てられ、前記第２の部分的なレベルは、前記第２のパケットに割当てられる、請求項２１の移動機器。
【発明の詳細な説明】
【技術分野】
【０００１】
本発明は一般に無線通信システムにおいて情報パケットを予定計画し、且つ無線伝送し、そして特に順方向回線（ＦＬ）データ処理性能を改善するために重畳符号化を用いる方法及び装置に関係する。
【背景技術】
【０００２】
セルラー通信システムにおいて通信を制御する様々な無線通信規格がある。ｃｄｍａ２０００ １ｘＥＶ-ＤＯ規格（「ｃｄｍａ２０００高伝送速度パケット・データ空中インタフェース仕様」、ＴＩＡ／ＥＩＡ／ＩＳ-８５６）は無線モバイル環境における一般データ通信サービスを提供するため１９９０年代後半に米国カルコム社によって開発されたパケット・データ通信のためのシステムである。１ｘＥＶ-ＤＯは順方向及び逆方向回線の特性に対応する固有の資源割当方法を採用する。
【０００３】
１ｘＥＶ-ＤＯ規格においては、基地局はその時間の瞬間に一つのデータ・パケットを一つの携帯電話（cell phone）に送る。動作の際には、基地局は一定電力でパイロット信号を連続して伝送する。パイロット信号を受信すると、携帯電話は受信パイロット信号の強度を判定し、そしてその結果を要求されたデータ速度制御（Data Rate Control：ＤＲＣ）の形で基地局に送り戻す。
【０００４】
フェージングは無線伝送の受信強度における確率的な変化である。基地局からの電話の距離は受信パイロット信号強度に影響を及ぼす。同じく、携帯電話と基地局の間を通過するトラックや、主パイロット信号と結合し、或いは相殺するビルから反射するパイロット信号といった動的事象も受信パイロット信号強度に影響を及ぼす。要するに、距離及び干渉条件はこの順方向回線信号対干渉及び雑音比（ＦＬ ＳＩＮＲ）における不均衡を造出し、したがって各電話の要求ＤＲＣに影響を及ぼす。
【０００５】
基地局において、スケジューラ法はそのパイロット信号強度（即ち、要求ＤＲＣ）によって各携帯電話を位置づけし、そしてどの携帯電話が次のデータ・パケットを受取るかを決定するためにその位置づけ（ranking）を利用する。典型的な固有の資源割当方法では、基地局は「最も（mos）」ふさわしい信号対干渉及び雑音比（ＳＩＮＲ）を有する携帯電話に対応するそのデータ・パケットを送る。どの携帯電話が最もふさわしいかは評価関数の結果に基づいて各携帯電話を位置づける予定計画方法によって決定される。その時間の瞬間に、最もふさわしいユーザの要求（needs）が対処され、一方、残りのユーザの要求（前述の例では、２９ユーザの要求）は遅らさねばならない。
【０００６】
従来の固有の資源割当方法は公平なサービスを全ての携帯電話に提供しようとする。このことは最も弱い集合のユーザが全体システムのデータ処理性能を制限するという点で問題になる。さらに、比較的低いＦＬ ＳＩＮＲを持つユーザはそれらの特定の携帯電話の潜在的なものより低い処理能力及び高い遅延度によって不利になる。従って順方向データ処理性能を改善し、そして最もふさわしい（恐らくはより弱い集合の）ユーザの要求を満たしながらより強い集合のユーザのＦＬ ＳＩＮＲより低いＦＬ ＳＩＮＲを持つユーザの遅延を減少するシステムが当技術分野において必要である。
【発明の概要】
【０００７】
この特許出願は２００６年５月２４日出願の「無線通信システムにおける重畳符号化（Superposition Coding in a Wireless Communication System）」と題する米国特許仮出願番号第６０／７９４，８７４号の便益を要求するもので、この特許出願の全開示はこの特許出願の一部と考えられる。
【０００８】
ここに開示した実施例は多数の候補（その一つは最もふさわしいユーザである）に重畳符号化を使用することにより、無線通信システムの順方向回線データ処理性能を最大にする２ユーザ、３ユーザ、またはＮユーザの組合せを選択することにより、且つ各時間スロットの開始において電力伝送を動的に再割付けすることにより上に述べた要求に対処する。
【０００９】
基地局から遠隔局へ重畳符号化パケットを通信するシステムが開示される。基地局において、重畳符号化のユーザ候補の一覧が編集され、そしてユーザ候補の中の最もふさわしいユーザが決定される。一つの実施例は重畳符号化を４ユーザ候補以下に制限し、しかしながら、他の実施例は異なる数のユーザについて符号化する。最もふさわしいユーザの要求データ速度より小さい要求データ速度を持つそれらのユーザ候補は取り除かれる。重畳符号化パケットは残りのユーザ候補から編集される。重畳符号化パケットにおける様々なユーザは種々の変調技術及び／またはパケット・フォーマットを使用する。例えば、最低層は１ｘＥＶ-ＤＯ改訂Ａシステムのパケット・フォーマットを使用する。
【００１０】
他のユーザは直交周波数領域変調（Orthogonal Frequency Domain Modulation：ＯＦＤＭ）を利用するパケット・フォーマットを使用する。他ではまた（サブキャリアに亘って異なる電力割当を持つ）ＯＦＤＭを使用する。
【００１１】
重畳符号化パケットを受取る遠隔移動体（remote mobile）が最低層であるならば、遠隔局は最低層に割当てられた全電力と同様に最低層に割当てられた電力のそのいくらかの先験的に既知の部分を代りに仮定することによって重畳符号化パケットを処理する。さらに、一つ以上のユーザがデータ・パケットの公称長さの前に復号に成功すれば、それらの電力は別のユーザに再割付けされる。
【００１２】
その実施例は様々なアプリケーションに適用される。例えば、インターネット音声プロトコル（Voice-over-Internet Protocol：ＶｏＩＰ）に適用されたとき、本発明の重畳符号化は低待ち時間（伝送遅れの低減）、セクタ当り多くのユーザ数（即ち、高容量）、あるいは二つの組合せを可能にする。広告のような同報サービスに適用されたとき、同報サービスは同報及びユニキャスト・トラヒックが共に送られるように個々のユーザ向けユニキャスト・トラヒックによって重畳符号化される。この同報サービスは（１ｘＥＶ-ＤＯにける制御チャネルのような）全てのユーザ向けの共通情報、或いは（プラチナ同報を使用して伝送される情報ような、また「ｃｄｍａ２０００高伝送速度同報-多報パケット・データ空中インタフェース仕様」、ＴＩＡ-１００６-Ａとして既知の）特定領域向けの情報である。このように、従来の無線通信システムと異なり、本発明はユニキャスト・トラヒックによって同報トラヒックを先取する要求を最小限にするか、或るいは除去する。云い換えれば、同報トラヒックは本方法及び装置を用いてそれらのシステムのためのユニキャスト・トラヒックの期間の間妥協する必要はない。
【図面の簡単な説明】
【００１３】
【図１】本方法によってＯＦＤＭサブキャリアの周波数領域位置取りを示すＯＦＤＭチャネル帯域内の典型的なＯＦＤＭの例示である。
【図２】各トーンがシンボル間に整数サイクル数を持つ一つのシンボル期間にわたる三つのトーンを示す。
【図３】ＧＳＭ（登録商標）セル・システムの基本動作のブロック図である。
【図４】ＧＳＭバースト構造を例示する。
【図５】無線通信システムの透視図である。
【図６】図５のセルの詳細な設計図である。
【図７−１】固定長情報パケットをアドレス・ヘッダーを持つ重畳符号化パケットに編集するために使用される方法のステップを含むフローチャートである。
【図７−２】固定長情報パケットをアドレス・ヘッダーを持つ重畳符号化パケットに編集するために使用される方法のステップを含むフローチャートである。
【図８Ａ】各ユーザ、各ユーザのためのＤＲＣ例、及びその結果生じる各ユーザに関する評価関数Ｆ(ｎ)の例を一覧する表である。
【図８Ｂ】各ユーザに関するＤＲＣによって分類された図６Ａの内容を一覧表である。
【図８Ｃ】各ユーザに関する評価関数Ｆ(ｎ)によって分類された図６Ａの内容の一覧表である。
【図９Ａ】重畳符号化パケットを編集し、伝送し、且つ処理するために使用される論理ブロック図である。
【図９Ｂ】重畳符号化パケットを編集し、伝送し、且つ処理するために使用される装置のための論理ブロック図であり、そこで様々なユーザは種々の変調方法を利用することによってスペクトル効率を改善する。
【図９Ｃ】様々なパケットが電力の一部を受取る各ユーザによっていかに時間領域に適合させるかを示す。
【図９Ｄ】本方法及び装置の一つの実施例に使用される１ｘＥＶ-ＤＯ順方向回線スロット・フォーマットを例示する。
【図９Ｅ】異なるパケット・フォーマットを使用する混成データ・スロットを例示する。
【図９Ｆ】ＯＦＤＭＡ形式パケット・フォーマットを使用する層２を持つ、本実施例で使用される１ｘＥＶ-ＤＯ順方向回線スロット・フォーマットを例示する。
【図９Ｇ】一つの層がＧＳＭパケット・フォーマットを使用する混成データ・スロットを例示する。
【図１０】一つ以上のデータ・パケットを編集し、伝送し、或いは処理する方法６００のステップを含むフローチャートである。
【図１１】二スロットに等しい公称長さを持つ二層ＣＦＤＭＡ重畳符号化パケットの例である。
【図１２】本方法及び装置のいくつかの実施例が実施されるコンピュータ・システム７００である。
【図１３−１】固定長情報パケットをアドレス・ヘッダーを有する重畳符号化パケットに編集するために使用される機能ブロックを加えた編集手段を含むブロック図である。
【図１３−２】固定長情報パケットをアドレス・ヘッダーを有する重畳符号化パケットに編集するために使用される機能ブロックを加えた編集手段を含むブロック図である。
【図１４】一つ以上のデータ・パケットを編集し、伝送し、且つ処理するために使用される機能ブロックを加えた編集手段を含むブロック図である。
【発明を実施するための形態】
【００１４】
米国及び世界中で数百万人の人々が携帯電話を利用している。携帯電話に関する最も興味深いものの一つはそれが実際に高性能（sophisticated）無線機であることである。通信を提供するために、これらの高性能無線機はセル・システムのような無線電話システムに組込まれる。
【００１５】
セル・システムでは、都市のような地域がいくつかのセルに分割される。各セルは無線装置を含む高層ビル及び小さなビルを含む基地局を有する。セル内の基地局はそのセル内に位置する携帯電話の通信回線要求を支援する。
【００１６】
携帯電話の通信回線要求は二つの領域：逆方向回線（携帯電話から基地局への回線）及び順方向回線（基地局から携帯電話への回線）に分割される。順方向回線動作の間、基地局はそのセル内に位置する携帯電話にデータ・パケットを伝送する。例えば、どんな時間（例えば、１．６７ミリ秒の間）でも、基地局はデータを要求する３０人の異なる携帯電話ユーザがいる。
【００１７】
セル通信システムには伝送を制御する様々な無線通信規格がある。ｃｄｍａ２０００ １ｘＥＶ-ＤＯ標準規格（「ｃｄｍａ２０００高伝送速度パケット・データ空中インタフェース仕様」、ＴＩＡ／ＥＩＡ／ＩＳ-８５６）は無線モバイル環境における一般データ通信サービスを提供するため１９９０年代後半に米国カルコム社によって開発されたパケット・データ通信のためのシステムである。１ｘＥＶ-ＤＯシステムは順方向及び逆方向回線の特性に対応する固有の資源割当方法を採用する。
【００１８】
無線通信標準規格はスペクトル効率を向上させるために種々の変調技術（例えば、符号分割多元アクセス（ＣＤＭＡ）、直交周波数分割多元アクセス（ＯＦＤＭＡ）等々）を有する。一つ以上の実施例において、本特許出願の特徴はこれらの様々な形の変調によって使用される。例えば、制限されないが、それはＣＤＭＡ２０００ Ｒｅｖ Ｃに開示されたＯＦＤＭと共に使用される。
【００１９】
ＯＦＤＭは多重キャリア伝送技術であり、それは利用可能なスペクトルを多数の等間隔のキャリアまたはトーンに分割し、そして各トーン上でユーザの情報の一部分を搬送する。ＯＦＤＭは周波数分割多重化（ＦＤＭ）の形として見なされるが、しかしながら、ＯＦＤＭは各トーンが他の全てのトーンと直交しているという重要な特別な性質を有する。高速データ信号は数十または数百の低速信号に分割される。ＯＦＤＭシステムはデータ・ストリームを取込み、そしてそれをＮ個の並列データ・ストリームに各々元の速度の１／Ｎの割合で分割する。これらの低速度信号はサブキャリア周波数（「サブキャリア」）またはトーンとして知られる無線周波数（ＲＦ）信号内のそれぞれの周波数上で並列に伝送される。サブキャリアまたはトーンは低速度データ・ストリームの一つによって変調され、それによってデータ・トーンを造り出す。その上、サブキャリアはパイロット信号によって変調され、それによってパイロット・トーンを造り出す。このように、ＯＦＤＭ信号は種々のサブキャリア周波数を持つ多くの信号の総合（sum）である。
【００２０】
その上、全てのキャリアのは相互に直交する。キャリアは直交しているので、各キャリアはシンボル期間にわたって整数サイクル数を持つ。このために、各キャリアのスペクトルはシステムにおける他のキャリアの各々の中心周波数でゼロ値を持つ。図１を見よ。このように、各トーンのピークは全てのトーンのゼロ・レベル、またはゼロ値に対応する。その結果、理論的に可能な限り近接した間隔を可能にして、キャリア間に最小の干渉がある。受信器が各トーンの中心周波数において標本化するとき、唯一の存在エネルギーは、他の雑音がチャネルにおいて偶然あるものを何でも加えた、所望の信号のそれである。
【００２１】
図２は一つのシンボル期間にわたる三つのデータ・トーンを示し、そこでは各トーンはシンボルの期間に整数サイクル数を持つ。
【００２２】
ＯＦＤＭ信号は非分散チャネルを通して伝送されるときサブキャリア直交性の性質を保持するであろう。しかしながら、大部分のチャネルは分散的である。このように、重大な時間及び／または周波数分散が伝送信号に導入される。これらの障害はキャリア間干渉（ＩＣＩ）及びシンボル間干渉（ＩＳＩ）を持ち込み、そしてサブキャリアの直交性を破壊する。
【００２３】
マルチパスを含む時間分散に対して保護するために、チャネル・インパルス応答の長さに等しいガード区間が連続ＯＦＤＭシンボルの間に導入される。循環拡張ＯＦＤＭシンボルはこのようにガード区間と情報が伝送される有用な部分から成る。ガード区間は逆高速フーリエ変換（ＩＦＦＴ）出力の循環拡張版（即ち、周期的変換の部分の循環再伝送）によって一般に実施される。伝送効率を維持するために、システム設計者は一般的にガード区間を有用なＯＦＤＭシンボル期間の４分の１以下に制限しようと努める。
【００２４】
個々のトーンまたはトーンの群は種々のユーザに割当てられるので、ＯＦＤＭはまた多元アクセス技術であると考えられる。各ユーザはそれらが送るべき情報を持っているとき所定の数のトーンを割当てられ、或いは代わりに、ユーザはそれらが送らなければならない情報量に基づいて様々な数のトーンを割当てられる。割当はメディア・アクセス制御（ＭＡＣ）層によって制御され、それはユーザ要求に基づいて資源割当を予定計画する。ＯＦＤＭでは、異なるトーン（ユーザ）に割当てられた電力はまた（図９Ｆに示されるように）異なり、さらに全帯域幅に亘り平均電力制限を満たしているという特徴が追加される。
【００２５】
汎欧州ディジタル移動通信システム（global system for mobile communications：ＧＳＭ）はヨーロッパで初めて開発されたディジタル移動体通信標準規格であり、そして世界的に急速な受入れ及び市場占有率を獲得した。それは元は総合ディジタル通信網（ＩＳＤＮ）標準規格と互換性があるように設計された。このように、ＧＳＭによって提供されるサービスは標準ＩＳＤＮサービスの部分集合であり、音声は最も基本的なものである。ＧＳＭの開発における広範囲の基準はスペクトル効率、国際的ローミング、低コスト移動体及び基地局、音声品質、及び新しいサービスを支援する能力を含む。長い間に、ＧＳＭ標準規格は様々なチャネル及び符号化フォーマットを含めて拡大し、且つ発展してきた。
【００２６】
図３はＧＳＭセル・システム９１００の基本動作のブロック図である。システム９１００は情報源（source）からそれを取るためにオーディオ源（例えば、音声）上で行われ、且つ受信器で合理的にそれを再現する一連の処理と見なされる。情報源処理９１０２は図の上列の動作で表され、移動局（例えば、携帯電話）によって行われる。受信処理９１０４は下列の動作で表され、基地局で行われる。一般に、受信処理９１０４は情報源処理９１０２の逆で、 逆順序で行われる。
【００２７】
ＧＳＭ標準規格は一般的にそれぞれ２５ＭＨｚの帯域幅を持つ二つの周波数帯域を使用する。ＧＳＭ-９００システムは９００ＭＨｚ（メガヘルツ）の周辺の二つの帯域で動作する。一つの帯域は、８９０-９１５ＭＨｚ範囲を含み、移動局から基地局へ伝送する上り回線伝送に割付けられる。別の帯域は、９３５-９６０ＭＨｚ範囲を含み、基地局から移動局へ伝送する下り回線伝送に割付けられる。ＧＳＭ-１８００システム（またＤＣＳと呼ばれる）は１８００ＭＨｚの周辺の二つの帯域で動作する。ＧＳＭ-１９００システム（またＰＣＳと呼ばれる）は１９００ＭＨｚの周辺の二つの帯域で動作する。
【００２８】
特に諸国内の周波数割付けによって、実際に周波数帯域の地域格差が発生する。
【００２９】
ＧＳＭ標準規格はいかに同時通信が異なる移動局と基地局との間で発生しうるかを定義する多元アクセス手法を用いる。基地局の地理的なセル構造は定義された周波数スペクトルに空間ダイバシティを提供する。各セル内では、周波数分割多元アクセス（ＦＤＭＡ）及び時分割多元アクセス（ＴＤＭＡ）の組合せが標準規格によって用いられる。２５ＭＨｚ帯域はＦＤＭＡを適用して２００ｋＨｚ間隔で１２４キャリア周波数に分割される。各々の搬送周波数は８個のバーストに時間的に分割され、ＴＤＭＡを適用して各々は約０．５７７ｍｓ持続する。各キャリアについて８個のバーストは一つの「フレーム」と見なされ、約４．６１５ｍｓ持続する；一人のユーザはフレーム内のバーストの一つを用いるであろう。この方法において、特定のキャリア周波数及びバースト番号に対応する個々の「チャネル」が形成される。図３へ戻って参照すると、ＧＳＭ標準規格による移動局から基地局への通信回線に関する通信処理がここに記述される。
【００３０】
最初の移動基地局における音声符号化９１０６は入来アナログ音声をディジタル信号に変換する。チャネル符号化９１０８は信号伝送の間に発生するあらゆる誤りを検出し、且つ訂正を補助するために余分のビットを元の情報に付加する。
【００３１】
インタリーブ９１１０動作は特定の方法で一群のビットを再配列する。インタリーブの効果はデータ・ストリームにおける誤りの尤度を減少させることである。一般に、誤りはバースト中の連続ビットに影響を及ぼす可能性があるので、インタリーブはバーストに亘ってビットを分散させる。
【００３２】
インタリーブの後で、バースト組立９１１２手続きがビットを伝送のためにバーストに一塊にする。図４は標準バースト構造９２００を例示する。標準バースト構造９２００は２６の個々のフレーム（０から ２５までを番号付けされる）を含むマルチ-フレームを含む。トラヒック・チャネル９２０２はフレーム０〜１１及び１３〜２４を占有する。フレーム１２は遅い関連制御チャネル（slow associated control channel：ＳＡＣＣＨ）９２０４のために使用される。フレーム２５は単一の全伝送速度トラヒック・チャネルの場合には使用されないが、二つの半伝送速度トラヒック・チャネルの場合には第二ＳＡＣＣＨとして使用される。さらに、二つの半伝送速度チャネルの場合には、偶数番号のフレーム（フレーム１２を除く）は第一のユーザのためのトラヒックとして使用され、そして奇数番号のフレーム（フレーム２５を除く）は第二のユーザのためのトラヒックとして使用される。トラヒック・チャネル９２０２の各フレームは８個のバースト９２０８（０から７まで番号付けされる）を含み、そして各バースト９２０８は次のような構造を持つ。後尾ビット群９２１０、９２２２各々はゼロに設定された３ビットを含み、そしてバースト９２０８の初めと終りに配置される。それらは移動体の電力の増減の期間を補うために使用される。符号化データ群９２１２、９２２０は各々５７ビットから成り、信号通信またはユーザ・データを含む。秘密フラグ（stealing flags）９２１４、９２２０はバーストによって搬送された情報がトラヒックまたは信号通信データと対応するか否かを受信器に示すために使用される。トレーニング系列９２１６は２６ビットの長さを持つ。それは受信器を入来情報と同期させるために使用され、そこでマルチパス伝搬によって造出された負の影響を回避する。ガード期間９２２４は、８．２５ビットの長さを持ち、立上り時間の間に起こり得る二つの移動体の重複を回避するために使用される。
【００３３】
図３に戻って参照すると、暗号化（ciphering）９１１４が信号通信及びユーザ・データを保護するために使用される。暗号化９１１４の後、伝送信号９１１８が変調９１１６によって形成される。一般的に、ＧＳＭ標準規格はガウス最小シフト・キーイング（ＧＭＳＫ）変調を用いる。ＧＭＳＫ変調はスペクトル効率、複雑性及び低疑似放射（隣接チャネル干渉の可能性を減少させること）の間の妥協として選択されてきた。ＧＭＳＫ変調は２７ｋボーの伝送速度及び０．３に等しいＢＴ積（product）を有する。代わりに、ＧＳＭ標準規格はまたＧＳＭ進化（ＥＤＧＥ）アプリケーションの強化データのために８位相シフト・キーイング（８-ＰＳＫ）変調を利用する。
【００３４】
変調信号９１１８はそれから受信器、例えば、基地局に伝送され、そこで受信動作９１０４が行われる。受信処理は（順番に）復調９１２０、解読９１２２、バースト分解９１２４、逆インタリーブ９１２６、チャネル復号９１２８及び音声復号９１３０を含む。これらの動作は上で論じたそれらのそれぞれの伝送動作の逆である。
【００３５】
図５は無線通信システム１００の透視図である。無線通信システム１００は統合統一体を形成するために相互接続及び相互動作が可能な個々の通信ネットワーク、伝送システム、中継局、支流局、及び／またはデータ端末設備の集合である。無線通信システム１００はいくつかのセル１０６、ここではセル１０８、１１０、１１２、１１４、１１６、１１８、１２０、１２２、及び１２４を含む格子に分割された地域を含む。例えば、市または郡はさらに小さなセルに分割される。セル１０６は地形、容量要求、及び他の要素に応じてサイズが異なる。例えば、一実施例では、各セル１０６は六角形の形を持ち、そして約１０平方マイル（２６平方キロメートル）の大きさである。
【００３６】
無線通信システム１００はさらにいくつかの基地局１２６、例えば、基地局１２８、１３０、１３２、１３４、１３６、１３８、１４０、１４２、及び１４４を含む。各セル１０６は基地局１２６を持つ。基地局１２６は二つのデバイスの間で音声及びデータ信号を制御し、且つ中継する処理用ハードウェア／ソフトウェア、伝送電力及びアンテナ・アレイを使用する無線送受信器（送信器／受信器）である。基地局１２６は高データ速度（High Data Rate：ＨＤＲ）基地局装置であるかもしれず、そしてモデム・プール送受信器（ＭＰＴ）と云われる。各基地局１２６からの伝送電力を制御することによって、各セル１０６に割当てられた無線周波数はその特定のセル１０６の境界に限定される。このように、例えば、同じ周波数がセル１０８及びセル１１８に割当てられる。
【００３７】
図６は図５のセル１１０の詳細な設計図である。アクセス端末（Access Terminals：ＡＴ）、例えばＡＴ ２０２、２０４、２０６、・・・、２４０はセル１１０の中に含まれる。ＡＴ ２０２〜２４０は、例えば光ファイバまたは同軸ケーブルを使用して、無線チャネル２０１、２０３、２０５または有線チャネルを通って通信するあるデータ。デバイスである。また、ＡＴ ２０２〜２４０はさらにＰＣカード、コンパクト・フラッシュ、外部モデム、内蔵モデム、無線電話、または有線電話を含むあるいくつかの型式のデバイスであるが、しかしそれに限定されない。
【００３８】
各ＡＴ ２０２〜２４０はユーザと云われ、そして携帯電話、基地移動送受信器、衛星、移動無線電話セット、基地移動送受信器、遠隔局装置、あるいは高データ速度（ＨＤＲ）加入局を含む。さらに、各ＡＴ ２０２〜２４０は可動もしくは静止し、そして逆方向回線２０１を通して一つ以上の基地局１２６〜１４２（図５）とデータ・パケットを通信するように適応される。ＡＴ ２０２は一つ以上の基地局１２６〜１４２を通してＨＤＲ基地局制御器にデータ・パケットを伝送し、且つ受信し、それはモデム・プール制御器（ＭＰＣ）と云われる。
【００３９】
モデム・プール送受信器及びモデム・プール制御器はアクセス・ネットワーク（ＡＮ）と呼ばれるネットワークの一部分である。ＡＴ ２０２〜２４０はアクセス・ノードを個々の加入者に接続する公衆または私用交換ネットワークのその一部分である。例えば、ＡＮは多数のＡＴ ２０２〜２４０の間でデータ・パケットを輸送する。ＡＮはさらに企業イントラネットまたはインターネットといったＡＮの外の追加ネットワークに接続し、そして各ＡＴ ２０２〜２４０とそのような外部ネットワークとの間でデータ・パケットを輸送する。集合的にもしくはその部分において、これらは無線通信システム１００の一部である。
【００４０】
一つ以上の基地局１２６との稼働トラヒック・チャネル接続を確立したＡＴ ２０２〜２４０は稼働ＡＴ ２０２〜２４０と云われる。稼働ＡＴ ２０２〜２４０はトラヒック状態にあると言われる。一つ以上の基地局１２６〜１４４との稼働トラヒック・チャネル接続を確立する過程にあるＡＴ ２０２〜２４０は接続設定状態にあると言われる。
【００４１】
逆方向回線２０１（図６）は基地局１３０によって提供されるＡＮサービスにＡＴ ２１４のようなＡＴ ２０２〜２４０を接続する無線インタフェースである。 例えば、ＡＴ ２０２は逆方向回線２０３を通してデータ・パケットを基地局１３０と通信するように適応され、そしてＡＴ ２０４は逆方向回線２０５を通してデータ・パケットを基地局１３０と通信するように適応される（図５参照）。
【００４２】
データ・パケットはプリアンブル（前提部）及びペイロードを持つパケットの形で配列されたデータのブロックと見なされる。プリアンブルはそのパケットの内容及び目的アドレスに関するオーバーヘッド情報を持つ；そしてペイロードはユーザ情報である。一般的に、基地局１２６〜１４２はデータ・パケットを一人のユーザに（単一ユーザ・パケット）一度に伝送し、或いは多数のユーザに（マルチ-ユーザ・データ・パケット）一度に伝送する。スペクトル効率を改善するために、ペイロードにおけるデータ部分は種々の変調技術を利用して形成される。図７で示した例のフローチャートでは、最もふさわしいユーザ２０２は１ｘＥＶ-ＤＯ Ｒｅｖ Ｂシステムによって規定されたパケット・フォーマットを利用し、一方、他のユーザ２０４、２１８、２３２はＯＦＤＭパケット・フォーマットを使用する。提案された重畳符号化の方法は各層が異なる多元アクセス技術を使用して構築されたペイロードを持つシステムに適用される。
【００４３】
重畳符号化は二つ以上のデータ・パケットが基地局１２６〜１４２で結合され、そして基準化された電力で多数のユーザに即座に伝送される技術である。ＩＥＥＥ情報理論紀要、ＩＴ-１８（１）（１９７２年２月１４日）掲載の「Ｔ．Ｍ．カバー、同報チャネル（T.M. Cover, Broadcast Channels）」におけるように、異なるユーザへの信号が相互に重畳され、そして異なる電力で同じデータ・パケットにおいて伝送される。本方法及び装置の形態は基地局１３０（図６）のような基地局１２６〜１４２から無線通信システム１００におけるＡＴ ２０２〜２４０へのデータ処理能力を向上させるために重畳符号化を用いる。重畳符号化パケットは共有資源、即ち「電力」を共有し、一方マルチ-ユーザ・パケットは共有資源、即ち「時間」を共有する。
【００４４】
二つのデータ・パケットの結合は、（１）第一の基準化要素でシンボル・サブストリームの第一の集合を基準化する、（２）第二の基準化要素でシンボル・サブストリームの第二の集合を基準化する、そして（３）多元伝送シンボル・ストリームを取得するためにシンボル・サブストリームの第一の集合をシンボル・サブストリームの第二の集合と加算することによって重畳により達成される。第一及び第二の基準化要素は基本ストリームと強化ストリームのためにそれぞれ使用する伝送電力の量を決定する。
【００４５】
図７は固定長の情報パケットをアドレス・ヘッダーを持つ重畳符号化パケットに編集（コンパイル）するために使用される方法３００のステップを含むフローチャートである。無線通信において、順方向回線トラヒック・チャネル５０４（例えば、順方向回線）は固定の場所（例えば、基地局）から移動体ユーザ２０２への回線である。回線５０４が通信中継衛星を含むならば、順方向回線５０４は、上り回線（基地局から衛星）及び下り回線（衛星から移動体ユーザ）の両方から成る。
【００４６】
方法３００の順方向回線チャネル５０４ａ〜ｄは複数の時間スロットに分割された一つのデータ・チャネルである。参照のみのために、各時間スロットの長さは１．６７ミリ秒（ｍｓｅｃ）である。上で注目したように、基地局１２６は一般的に一つの時間スロットの間に一つのデータ・パケットを伝送する。ユーザの「ｉ」番号を持つ順方向回線チャネル５０４について、方法３００は一つの時間スロット「ｎ」の間に一つ以上のデータ・パケットの伝送を考える。示されるように、一つの時間スロットの間に一つ以上のデータ・パケットを伝送することによって、方法３００は順方向回線チャネル５０４上のデータ処理速度を順方向回線チャネル５０４上の理論上の最高データ処理速度の方へ向上させるように機能する。異なるユーザのパケット・フォーマットは異なる無線通信標準規格に適合することを注目すべきである。
【００４７】
パイロット信号は監視、制御、等化、連続性、同期化、または参照のために通信システム上で伝送される信号と見なされる。方法３００において、伝送パイロット信号は同期検波（coherent detection）のためにチャネル推定を支援するため使用される。ステップ３０２で、基地局１３０は一定電力でパイロット信号を連続的に伝送する。各ＡＴ ２０２はそれからパイロット信号を受信する。
【００４８】
基地局１３０からＡＴ ２０２〜２４０へ進む間に、パイロット信号の強度または強さは基地局からの距離、他の基地局１２６、１２８、１３２〜２４０からの干渉、遮断、短期フェージング、及びマルチパスのために変動する。このように、各ＡＴ ２０２〜２４０はその受信パイロット信号から達成可能な信号対干渉及び雑音比（ＳＩＮＲ）を予測する。予測ＳＩＮＲから、各ＡＴ ２０２〜２４０はＤＲＣを計算する。データ速度制御（時折、要求データ速度と云われる）は所与のパケット誤り率（Packet Error Rate：ＰＥＲ）、例えば１％ＰＥＲを維持しながらＡＴ ２０２〜２４０が近い将来において支援する情報伝送速度を表す。云い換えれば、要求ＤＲＣはそれが所与の時間スロットについて基地局１３０により確実に役立つとＡＴ ２０２〜２４０が予測する最良の伝送速度である。
【００４９】
ステップ３０８において、基地局１３０は各ＡＴ ２０２〜２４０から要求ＤＲＣを受取る。各受信ＤＲＣはＡＴ ２０２〜２４０による即時サービスの要求を表す。一般的な無線通信に関する現在の問題は即時サービスを要求する全てのＡＴ ２０２〜２４０が必ずしも同時にサービスされないことである。このように、基地局１３０はその必要性が資源割付決定によって所与の時間スロットとして役立つそれらのＡＴ ２０２〜２４０を選択する。
【００５０】
資源割付け決定は最良のシステム性能を達成するために有限資源の割付けに関係する。方法３００では、ステップ３１０において、基地局１３０は各ＡＴ ２０２〜２４０のＤＲＣを利用する評価関数の結果に基づいて各ＡＴ ２０２〜２４０を位置付けするために、スケジューラ法のような位置付け（ranking）測定基準を係合するスケジューラ７１４を用いる。位置付けは公平に関するある概念を維持しながら好ましくは個々のデータ処理能力及びシステム・データ処理能力を最大にするようにどのデータ・パケットが単一時間スロット「ｎ」の間に伝送されるかを決定するために使用される。
【００５１】
予定計画（scheduling）アルゴリズムの例は総当り（Round Robin：ＲＲ）、荷重付総当り（Weighted Round Robin：ＷＲＲ）、要求対応帯域幅（Bandwidth On Demand：ＢＯＤ）、等級サービス（Equal Grade of Service：Ｅ-ＧｏＳ）、比例公平（Proportionally Fair：ＰＦａｉｒ）及び遅延パラメータを利用するものを含む。好ましくは、方法３００は資源を効率的に割当てながら競合する全てのＡＴ ２０２〜２４０の公平な（等しい）処置をしようと試みる予定計画アルゴリズムを用いる。例えば、方法３００はステップ３１０において比例公平（Ｐ-Ｆａｉｒ）公平性測定基準または等級サービス（Ｅ-ＧｏＳ）を用いる。
【００５２】
Ｐ-Ｆａｉｒ測定基準のもとでは、スケジューラ７１４はＡＴ ２０２〜２４０が強い信号レベルを知る期間の間にＡＴ ２０２〜２４０への伝送を予定計画することによって順方向回線チャネル５０４の短期の時間変動を利用する。ここで、スケジューラ７１４は方法：
【数１】
0005425868.tif 000002
【００５３】
を用いる、但しＦi(ｎ)は時間スロット「ｎ」におけるユーザ「ｉ」に関する評価関数である（ｉ＝１，・・・，Ｎ）；ＤＲＣi(ｎ)は時間スロット「ｎ」においてユーザ「ｉ」により要求された瞬間的データ速度である；Ｒi(ｎ)は適切なサイズの時間窓上のユーザ「ｉ」によって旨く受信された平均データ速度である；そしてｍａｘi(・)はユーザ「ｉ」の決定された挿入数値に関する最大値である。
【００５４】
式（１）のＰ-Ｆａｉｒ測定基準を使用して、各ユーザ「ｉ」はその要求された速度がその最近の要求に比べて最高に近い時間スロットにおいてサービスされる。比較のために、Ｅ-ＧｏＳ測定基準を用いるスケジューラ７１４はユーザ「ｉ」が適切なサイズの時間窓上でサービスされることを要求した平均データ速度を考慮する。ここで、各ユーザ「ｉ」はシステム内で移動するとしてユーザ２０２〜２４０を不利にしないためにチャネル条件にかまわずデータ・パケットを受取るために凡そ等しい機会を提供される。即ち、各ユーザ「ｉ」は適切なサイズの時間窓上で同じ平均データ速度を達成ために全てのＡＴ ２０２〜２４０について十分な時間を与えられる。Ｅ-ＧｏＳ測定基準として、スケジューラ７１４は：
【数２】
0005425868.tif 000003
【００５５】
を用いる、但し〈ＤＲＣi(n)〉は適切なサイズの時間窓上で所与の時間スロット「ｎ」におけるユーザ「ｉ」によって要求された平均データ速度を表す。式（２）から決定されるように、ユーザ「ｉ」よって要求された平均データ速度は減少するので、ユーザ「ｉ」に関する評価関数Ｆi(ｎ)は増加し、ユーザ「ｉ」が所与の時間スロット「ｎ」においてサービスされることをさらに可能にする。
【００５６】
ステップ３１２において、基地局１３０はどの単一ユーザ「ｉ」が所与の時間スロット「ｎ」においてサービスされるべきかを決定する。この決定時期は評価関数Ｆ(ｎ) について最大の値を持つそのユーザ「ｉ」を選択することによって達成される。評価関数Ｆi(ｎ) について最大の値を持つユーザ「ｉ」はそのようなユーザ２０２〜２４０が最もふさわしい（例えば最も弱い、しかし回復する）ユーザ２０２〜２４０であることを示す。数値例を提供することはこの点で助けになる。
【００５７】
図８Ａは各ユーザ２０２〜２４０、各ユーザ２０２〜２４０に関するＤＲＣ例、及び各ユーザ２０２〜２４０に関する評価関数Ｆ(ｎ)の結果例の一覧表である。各ＤＲＣは秒当りキロビット（ｋｂｐｓ）で測定される。図８Bは各ユーザ２０２〜２４０に関するＤＲＣによって分類された図８Ａの内容の一覧表である。図８Cは各ユーザ２０２〜２４０に関する評価関数Ｆ(ｎ)の結果例を分類した図８Ａの内容の一覧表である。図８Cの結果が基地局１３０よって使用されるならば、ユーザ２０２は評価関数Ｆi(ｎ)について最大値、即ちＦi(ｎ)＝４５を持つであろう。このように、基地局１３０はユーザ２０２が最もふさわしいユーザ２０２であることを決定し、そしてステップ３１２でユーザ２０２が所与の時間スロット「ｎ」においてサービスされるべきであることを決定する。
【００５８】
単一ユーザ「ｉ」がステップ３１２で選択された所与の時間スロット「ｎ」においてサービスされるべきとき、最もふさわしいユーザ２０２のデータ・パケットを他のデータ・パケットと重畳符号化パケットに束ねるかどうかを決定する前に満たされるべきある基準がある。このように、方法３００はステップ３１４でいずれかの重畳符号化前基準があるかどうかを判定し、そして有るならば、方法３００はステップ３１６で重畳符号化前基準が満たされたか否かを判定する。重畳符号化前基準は無線通信システムによって用いられる特定の標準規格の関数である。一つの無線通信標準はｃｄｍａ２０００ １ｘＥＶ-ＤＯ標準規格（「ｃｄｍａ２０００の高速パケット・データ空中インタフェース仕様」、ＴＩＡ／ＥＩＡ／ＩＳ-８５６）である。
【００５９】
ｃｄｍａ２０００ １ｘＥＶ-ＤＯ標準規格は無線移動環境において一般的なデータ通信サービスを提供するパケット・データ通信のためのシステムである。１ｘＥＶ-ＤＯシステムは順方向回線５０４及び逆方向回線２０１の特性に対応する固有の資源割当方法を採用する。
【００６０】
順方向トラヒック・チャネルはパケット基準の可変速度チャネルである。アクセス端末のユーザ物理層パケットは４．８ｋｂｐｓから３．０７２Ｍｂｐｓまで変化するデータ速度で表１Ａに示したように伝送される。下の表１Ａは１ｘＥＶ-ＤＯ ｒｅｖ Ｂ順方向回線５０４の順方向トラヒック・チャネル及び制御チャネルに関する変調パラメータの一覧表である。
【表１Ａ】
0005425868.tif 000004
【００６１】
0005425868.tif 000005
【００６２】
下の表１Ｂは１ｘＥＶ-ＤＯ ｒｅｖ Ｂ順方向回線５０４の順方向トラヒック・チャネル及び制御チャネル上の任意のユーザ物理層パケットに関する変調パラメータの一覧表である。伝送されるならば、それらは１５３．６ｋｂｐｓから４．９１５Ｍｂｐｓまで変化するデータ速度で伝送される。
【表１Ｂ】
0005425868.tif 000006
【００６３】
１ｘＥＶ-ＤＯ ｒｅｖ ＢにおけるＤＲＣ指数は単一ユーザ・パケット及びマルチユーザ・パケットについて一組の関連伝送フォーマットを持つ。ＤＲＣ指数及びそれらの関連伝送フォーマットの詳細な一覧表は表１Ｃで提供される。
【表１Ｃ】
0005425868.tif 000007
【００６４】
0005425868.tif 000008
【００６５】
0005425868.tif 000009
【００６６】
0005425868.tif 000010
【００６７】
0005425868.tif 000011
【００６８】
0005425868.tif 000012
【００６９】
あらゆる稼働スロットにおいて、１ｘＥＶ-ＤＯ順方向回線５０４は表１Ｃに一覧した伝送フォーマットの一つを使用して基地局１２６〜１４２からＡＴ ２０２〜２４０へ伝送する。
【００７０】
現在の方法及び装置がｃｄｍａ２０００ １ｘＥＶ-ＤＯ順方向回線標準規格を用いる無線通信システムにおいて実施されるならば、方法３００はステップ３１６において二つの重畳符号化前判定を行う。第一の重畳符号化判定を使用して、方法３００はステップ３１２で選択されたユーザ２０２（最もふさわしいユーザ２０２）が低閾値データ速度（例えば、１ｘＥＶ-ＤＯ順方向回線標準規格について３０７．２ｋｂｐｓ）より小さい要求ＤＲＣを持っているか否かをステップ３１６で判定する。ステップ３１２で選択されたユーザ２０２が例えば３０７．２ｋｂｐｓより小さい要求ＤＲＣを持っているならば、重畳符号化パケットに基づく処理能力データ速度に関する利得はそのような状況の下では（被ったオーバーヘッドのために）無視できるので重畳符号化パケットは編集されない。
【００７１】
第二の重畳符号化判定を使用して、ステップ３１２で選択されたユーザ２０２が所与のシステムについて最大データ速度（例えば、１ｘＥＶ-ＤＯ順方向回線標準規格について３０７．２ｋｂｐｓ）にほぼ等しい要求ＤＲＣを持つならば、重畳符号化パケットに基づく処理能力データ速度に関するあらゆる利得はそのような状況の下では無視できるので重畳符号化パケットは編集されない。このように、重畳符号化前基準がステップ３１６で満たされなかったならば、方法３００は重畳符号化パケットが編集されないステップ３１８に進む。ユーザ２０２の要求ＤＲＣは４７４．７ｋｂｐｓ（図８Ｃを見よ）であるので、現在の例に適用された方法３００は重畳符号化前基準が満たされていた（例えば、３０７．２ｋｂｐｓ＜最もふさわしいユーザ要求ＤＲＣ＜３，０７２ｋｂｐｓ）ことをステップ３１６で判定する。
【００７２】
ステップ３１２で重畳符号化前基準がなければ、或いは重畳符号化前基準がステップ３１６で満たされていたならば、方法３００はステップ３２０へ進む。ステップ３２０で、基地局１３０は他のユーザ２０４〜２４０データ・パケットを最もふさわしいユーザ２０２データ・パケットに重畳符号化パケットとして付加するかどうかを決定する。これを達成するために、基地局１３０は重畳符号化のためにユーザ２０４〜２４０候補の一覧表を編集する。選ばれた第一のユーザ２０４〜２４０候補はステップ３１２で選択されたユーザである。これの理由は従来のシステムが現在この最もふさわしいユーザ２０２にサービスしていることである。重畳符号化のための第一の潜在ユーザ候補としてステップ３１２で選択されたユーザ２０２を用いることによって、現在の発明はそのシステムの期待動作を下落することなく途切れなしに従来のシステムに組込まれる。
【００７３】
残りのユーザ２０４〜２４０候補を選択する一つの方法は残りの全てのユーザ２０４〜２４０を選択することである。現在の例では、これは図６のユーザ２０４〜２４０を選択することを意味するであろう。この方法に関する問題は低く位置付けされたユーザ（ここでは、ユーザ２２４、２３０、及び２２６-図８Ｃを見よ）が時機を得た方法において重畳符号化パケットを処理することができることがありそうもないことである。例えば、ユーザ２２６は重畳パケットを１９回復号し、再符号化する必要があり、処理期間は多分１．６７ミリ秒時間スロットを越えるであろう。より良い方法は処理能力通信速度を最大にすることの前選択目標に基づいて重畳符号化のために残りのユーザ２０４〜２４０候補を選択することである。この選択はまた信号通信において必要とされるオーバーヘッドを最小にする。
【００７４】
一実施例では、重畳符号化は４ユーザ２０４〜２４０に制限される。ステップ３２４で、方法３００はそれらの評価関数Ｆi(ｎ) の降順で４以下のユーザ２０４〜２４０を重畳符号化するための候補をユーザ２０４〜２４０候補として選択する。評価関数Ｆi(ｎ) の順序はスケジューラ７１４によって位置付けされる。図８Ｃから、ユーザ２０２（Ｆ202(ｎ)＝４５）、ユーザ２０４（Ｆ204(ｎ)＝２３）、ユーザ２３２（Ｆ232(ｎ)＝２２）、及びユーザ２１８（Ｆ218(ｎ)＝２０）が重畳符号化のユーザ２０４〜２４０候補としてステップ３２４で選択される。
【００７５】
最初に、重畳符号化ユーザ２０４〜２４０が多くなるほど処理能力データ速度における利得も大きくなるので重畳符号化パケットは常にユーザ２０４〜２４０最大数（ここでは、４ユーザ２０２、２０４、２１８、２３２）から成る。しかしながら、重畳符号化を実施しているとき、参画する各ＡＴ ２０２〜２４０は重畳符号化パケットに関するある情報（最初の電力割付け及び次の電力更新のような）を受取る。この情報は伝送されるペイロード・データ・メッセージに割付けられるバイトの量を減少するために重畳符号化パケットにおいてバイト空間を必要とする。より多数の重畳符号化ユーザ２０２〜２４０はより多くのオーバーヘッド（重畳符号化パケットの一部として伝送される必要があるプリアンブル・データ）をもたらし、したがってデータ処理能力速度を減少させる。しかしながら、より少数の重畳符号化ユーザ２０２〜２４０はデータ処理能力速度を減少する結果となる。このように、データ処理能力速度を最大にするために、方法３００は重畳符号化パケットが状況に応じて２-ユーザ、３-ユーザ、または４-ユーザ重畳符号化パケットを含むことを予測する。
【００７６】
用語「ユーザ」は１ｘＥＶ-ＤＯにおいて使用されるパケット指向フォーマットを参照することは注目すべきである。従って、１ｘＥＶ-ＤＯのマルチユーザ・パケットが使用されるならば、それはそのマルチユーザ・パケット内の最悪／再弱ユーザによって決定されたパラメータ（ＤＲＣ、等）によって１ユーザとしてまだ扱われるであろう。
【００７７】
ステップ３２６で、方法３００はステップ３２４のユーザ２０４、２１８、２３２候補から最もふさわしいユーザ２０２（例えば、ステップ３１２で選択されたユーザ２０２）の要求ＤＲＣより小さい要求ＤＲＣを持つそれらのユーザ２０４、２１８、２３２候補を除外する。図８Ｃに示したように、ユーザ２０４、２３２、及び２１８候補全てはユーザ２０２の４７５．７ｋｂｐｓ要求ＤＲＣより大きい要求ＤＲＣを持つ。このように、ユーザ候補２０４、２３２、及び２１８のいずれも現在の例において除外されないであろう。
【００７８】
ステップ３２８で、方法３００はステップ３２４のあらゆるユーザ候補２０２、２０４、２１８、２３２が同じ要求ＤＲＣを持っているか否かを判定する。ステップ３２４のユーザ２０２、２０４、２１８、２３２候補が同じ要求ＤＲＣを持っていないならば、方法３００はステップ３３４に進む。ステップ３２４のユーザ２０２、２０４、２１８、２３２候補が同じ要求ＤＲＣを持っているならば、方法３００は最高の平均ＤＲＣ（例えば、ｍａｘ〈ＤＲＣ〉）を持つそのステップ３２４ユーザ２０２、２０４、２１８、２３２候補をステップ３３０として保持する。ステップ３３２で、方法３００は同じ要求ＤＲＣを持つそれら残りのステップ３２４ユーザ２０２、２０４、２１８、２３２候補をステップ３３０において保持されたそのユーザ２０４、２１８、２３２として除外する。図８Ｃに示したように、ユーザ候補２０２、２０４、２３２、及び２１８全ては異なる要求ＤＲＣを持ち、このようにステップ３２４のユーザ２０２、２０４、２１８、２３２候補のどれも現在の例において除外されないであろう。
【００７９】
この点で、ステップ３３４〜３５２を概観することは役に立つ。処理能力伝送速度を最大にする２-ユーザ、３-ユーザ、または４-ユーザ結合を選択するために、方法３００は重畳符号化についてユーザ２０２、２０４、２１８、２３２候補間の電力割付けを計算する（ステップ３３４〜３４６）。方法３００はそれから各ユーザ２０２、２０４、２１８、２３２候補結合について最大伝送速度を決定する（ステップ３４８）。これから、方法３００は処理能力伝送速度を最大にするユーザ２０２、２０４、２１８、２３２結合を選択する（ステップ３５０）。処理能力伝送速度を最大にする２-ユーザ、３-ユーザ、または４-ユーザ結合を選択した後、方法３００は選択ユーザ結合から重畳符号化パケットを編集する（ステップ３５２）。
【００８０】
重畳符号化（ステップ３３４〜３４６）についてユーザ候補の間の電力割付けは各ユーザ２０２、２０４、２１８、２３２候補結合に関する最大伝送速度に関係する（ステップ３４８）。各ユーザ２０２、２０４、２１８、２３２に関する最大伝送速度Ｒi を決定するために、方法３００は次の式を用いる：
【数３】
0005425868.tif 000013
【００８１】
但し、Ｒi は各ユーザ２０２、２０４、２１８、２３２の結合に関する最大伝送速度を表す；α（「アルファ」）は全体伝送電力ＰT に適用されるスカラーを表す；そしてNi は基地局１２６〜１４４による入来信号に寄与する内部雑音の雑音スペクトル電力密度を表す。
【００８２】
式（３）は次のように書かれる：
Ｒi ＝ｌｏｇ2（１＋(Ｅb／Ｎt)）              式（４）
但し、Ｅb はビット当りのエネルギーである；そして
Ｅb／Ｎt は雑音スペクトル電力密度当りのビット当りエネルギーであり、そしてシステムの処理利得によるＳＩＮＲを通じてデータ速度ＤＲＣに関係する。
【００８３】
式（４）のＥb／Ｎt 部分はユーザ２０２、２０４、２１８、２３２の間で重畳符号化に関する電力割付けを決定する際に役割を果たす。ユーザ２０２、２０４、２１８、２３２の間で重畳符号化に関する電力割付けを決定するために、方法３００は各α（「アルファ」）全体伝送電力スカラーを取得するために次の式を用いる：
(Ｅb／Ｎt) drc,1＜(Ｅb／Ｎt) drc,2＜(Ｅb／Ｎt) drc,3＜(Ｅb／Ｎt) drc,4            式（５）
但し、(Ｅb／Ｎt) drcは要求ＤＲＣに基づく、そして
(Ｅb／Ｎt) 1＝α1×(Ｅb／Ｎt) drc,1／[(１−α1) ×(Ｅb／Ｎt) drc,1＋１]              式（６）
(Ｅb／Ｎt) 2＝α2×(Ｅb／Ｎt) drc,2／[(１−α1−α2) ×(Ｅb／Ｎt) drc,2＋１]        式（７）
(Ｅb／Ｎt) 3＝α3×(Ｅb／Ｎt) drc,3／[(１−α1−α2−α3) ×(Ｅb／Ｎt) drc,3＋１]    式（８）
(Ｅb／Ｎt) 4＝α4×(Ｅb／Ｎt) drc,4／[(１−α1−α2−α3−α4) ×(Ｅb／Ｎt) drc,4＋１]  式（９）
方法３００はユーザ２０２、２０４、２１８、２３２候補の間で重畳符号化に関する電力割付けの決定をステップ３３４で始める。ユーザ２０２、２０４、２１８、２３２候補の間の重畳符号化に関する電力割付けは各残りのユーザ２０２、２０４、２１８、２３２についてα（アルファ）スカラーを計算することによって決定される。
【００８４】
基地局１２６〜１４４から遠く離れた端末２０２〜２４０は追加の経路損失を克服するために基地局１２６〜１４４に近い端末２０２〜２４０のデータ速度と同じデータ速度を達成するのに基地局１２６〜１４４においてさらに高い伝送電力レベルを必要とする。２０ワットが全体伝送電力として利用可能な２-ユーザ重畳符号化パケットにおいて、弱いユーザ２０２〜２４０は全体伝送電力の１９ワットを必要とし、そして強いユーザ２０２〜２４０は全体伝送電力の１ワットを必要とする。方法３００はアルファαスカラーによるこの叫び（shouting）及びささやき（whispering）を達成する。
【００８５】
好ましくは、方法３００はそれらの要求ＤＲＣに基づいて最もふさわしいユーザ２０２から最も強いユーザ２１２へα（アルファ）スカラーを割当てる。図８Ｂは残りのユーザ候補についてユーザ２０２、ユーザ２１８、ユーザ２３２、及びユーザ２０４として位置付けされる要求ＤＲＣに基づいて最もふさわしいユーザ２０２から最も強いユーザ２１２を例示する :このように、方法３００は最もふさわしいユーザ（ここではユーザ２０２）の電力割付けを決定することによって始まる。
【００８６】
電力割付けを最もふさわしいユーザ２０２に決定するために、方法３００は重畳符号化パケットが用いられるとき最もふさわしいユーザ２０２（即ち、ステップ３１２で選択されるユーザ２０２）がサービスされるデータ速度をステップ３３６で設定する。１ｘＥＶ-ＤＯ順方向回線標準規格について、重畳符号化パケットにおける最もふさわしいユーザ２０２のサービス・データ速度は１５３．６ｋｂｐｓより大きく、そして重畳符号化パケットにおいてユーザ２０２、２０４、２１８、２３２の数で割算された最もふさわしいユーザ２０２のＤＲＣである。これは次のように書かれる：
サービス・データ速度（最もふさわしいユーザ）＝
ｍａｘ(１５３．６ｋｂｐｓ，(ＤＲＣ（最もふさわしいユーザ）／ＳＰユーザの数))    式（１０）
図８Ｃの例では、最もふさわしいユーザ（ユーザ２０２）の要求ＤＲＣは４７５．７ｋｂｐｓである。式（１０）を適用すると、サービス・データ速度（Served Data Rate）（最もふさわしいユーザ）＝ｍａｘ(１５３．６ｋｂｐｓ，４７５．７／２，４７５．７／３，４７５．７／４)、またはサービス・データ速度（最もふさわしいユーザ）＝ｍａｘ(１５３．６ｋｂｐｓ，２３７．９ｋｂｐｓ，１５３．６ｋｂｐｓ，１１８．９ｋｂｐｓ) 、またはサービス・データ速度（最もふさわしいユーザ）＝２３７．９ｋｂｐｓである。
【００８７】
サービス・データ速度（最もふさわしいユーザ）及び最もふさわしいユーザに関する要求ＤＲＣを知ると（例えば、図８Ｃから）、方法３００はステップ３３８でユーザ候補についてα（アルファ）スカラーを決定するために式を用いる。現在の例では、方法３００は最もふさわしいユーザ２０２に関するα（アルファ）スカラーを決定するために上の式（６）を用いる。ユーザ２０２について、サービス・データ速度は式（１０）から２３７．９ｋｂｐｓとして計算された、そして図８Ｃからの要求ＤＲＣは４７５．７ｋｂｐｓである。このように、ユーザ２０２について、α202（アルファ）スカラーは次のように式（６）から計算される：
(Ｅb／Ｎt) 1＝α1×(Ｅb／Ｎt) drc,1／[(１−α1) ×(Ｅb／Ｎt) drc,1＋１]    式（６）
代入すると、
(Ｅb／Ｎt) 202＝α202×(Ｅb／Ｎt) drc, 202／[(１−α202) ×(Ｅb／Ｎt) drc, 202＋１]  式（６ａ）
２３７．５ｋｂｐｓ＝α202×４７５．７ｋｂｐｓ／[(１−α202) ×４７５．７ｋｂｐｓ＋１]    式（６ｂ）
α202＝０．９９５８(＝α1)        式（６ｃ）
ステップ３４０において、方法３００はアルファ不足が発生したかどうかを決定する。アルファ不足は全てのアルファの合計が１に等しいか、１以上である場合である。アルファ不足が発生したならば、方法３００はステップ３４２で残りのアルファを最も強いユーザ２０２に割当てし、そしてステップ３４４で主要ユーザまたは最も強いユーザ２０２の真上にユーザ２０４、２１８、２３２を降ろす。これは全体の処理能力を最大にする。方法３００はそれからステップ３４３８に進む。
【００８８】
アルファ不足が発生しなければ、方法３００はステップ３４６でアルファが計算されてなかったあらゆる残りのユーザ候補２０４、２１８、２３２があるか否かを判定する。アルファが計算されてなかった残りのユーザ２０４、２１８、２３２候補があれば、方法３００はステップ３３８に戻る。次の最も強いユーザ２１８について、α1（ここでは、α202）は式（６）から計算されていたので、α218（アルファ）は式（７）から計算される。α232 スカラー及びα204 スカラー同様に式（６）及び式（９）から決定される。アルファが各ユーザ２０２、２０４、２１８、２３２候補について計算されていたならば、方法３００はステップ３４８に進む。
【００８９】
方法３００は各ユーザ２-ユーザ、３-ユーザ、及び４-ユーザ結合についてステップ３４８で最大伝送速度を決定し始める。各ユーザ２０２、２０４、２１８、２３２結合に関する最大伝送速度Ｒi は次の式（３）を用いることを想起せよ：
【数４】
0005425868.tif 000014
【００９０】
ユーザ２０２、２０４、２１８、２３２候補１、２、３、及び４について、方法３００はユーザ２０２、２０４、２１８、２３２候補結合について最大伝送速度を決定するために次の式を用いる：
【数５】
0005425868.tif 000015
【００９１】
式（１１）〜式（１４）における各々の変数は処理においてこの点で既知である。各ユーザ２０２、２０４、２１８、２３２候補に関するアルファα電力伝送スカラーはステップ３３４〜ステップ３４６の間で決定されていた。全体の伝送電力Ｐt は一般的に無線通信システムによって割当てられる。各ユーザ２０２、２０４、２１８、２３２候補に関する雑音スペクトルの電力密度Ｎは基地局１２６〜１４２により各ユーザ２０２、２０４、２１８、２３２候補の入来信号に寄与する内部基地局雑音であり、従って（恐らくは要求ＤＲＣを通じて）既知である。式（１１）〜式（１４）を用いることによって、各ユーザ２０２、２０４、２１８、２３２候補結合に関する最大伝送速度はステップ３４８で決定される。
【００９２】
ステップ３５０で、方法３００は処理能力伝送速度を最大にするユーザ２０２、２０４、２１８、２３２結合を選択する。例えば、２-ユーザ重畳符号化パケットについてＲ2＝７０ｋｂｐｓ、３-ユーザ重畳符号化パケットについてＲ3＝８０ｋｂｐｓ、及び４-ユーザ重畳符号化パケットについてＲ4＝７０ｋｂｐｓであれば、３-ユーザ重畳が最も大きなｋｂｐｓを持ち、従って処理能力伝送速度を最大にするので、方法３００は３-ユーザ重畳符号化パケットを選択する。
【００９３】
ステップ３５２で、方法３００は選択されたユーザ２０２、２０４、２１８、２３２結合から重畳符号化パケットを編集する。重畳符号化パケットはペイロード及びプリアンブルを含む。ペイロードは選択されたユーザ２０２、２０４、２１８、２３２結合に含まれるユーザ２０２、２０４、２１８、２３２に関する各データ・パケットを含む。プリアンブル（または、アドレス・ヘッダー）はパケットの重畳符号化パラメータ及びパケットの非重畳符号化パラメータを表す。
【００９４】
電力割付けの過程はその層がＣＤＭＡかＯＦＤＭ（特定の層における全てのデータ・トーンが特定のユーザ／マルチユーザ・パケット（ＭＵＰ）に割付けられる）のいずれかである例において説明されてきた。最低層がＣＤＭＡであり、そして第二層がＯＦＤＭＡである場合には、異なるユーザに割付けられたトーンの群に関して、最低層の電力割付けは上で述べたものと同じである状態を維持する。しかしながら、第二層はユーザの目標速度に応じて、選ばれたユーザへの電力及びトーン割付けを共同で決定するＯＦＤＭＡ割付け方針に従う。最終パケット構造は図９Ｆと類似する。
【００９５】
重畳符号化パケット・パラメータは：（ａ）重畳符号化パケットにおけるユーザ２０２、２０４、２１８、２３２の数；（ｂ）重畳符号化パケットの長さ（インターレース・スロットの公称＃）；（ｃ）各重畳符号化パケット・ユーザ「ｉ」に関する部分電力割付け（αi）；（ｄ）各重畳符号化パケット・ユーザ２０２、２０４、２１８、２３２に関するペイロード・サイズ；（ｅ）各重畳符号化パケット・ユーザの物理的アドレス；及び（ｆ）パケットが単一ユーザ・データ・パケット、マルチユーザ、・重畳符号化パケットであるか否かの指標である。
【００９６】
２ビット符号は重畳符号化パケットにおけるユーザの数（２＝０１2、３＝１０2、４＝１１2）を示すのに必要とされる。重畳符号化パケットの長さ（インターレース・スロットの公称＃）はまた２ビットの符号によって示される。各重畳符号化パケット・ユーザ「ｉ」に関する部分電力割当（αi）は３ビットによって表され、そして、各重畳符号化パケット・ユーザに関するペイロード・サイズ（パケットの形式）は２ビットによって表される。７ビットは各重畳符号化ユーザの物理アドレス（例えば、メディア・アクセス制御識別子（Medium Access Control Identifier：ＭＡＣ ＩＤ） を表すために割付けられる。
【００９７】
ＡＴ ２０２〜２４０はパケットが単一ユーザ・データ・パケット（００2）かマルチユーザ・パケット（０１2、１０2、１１2）であるかどうかを決定するためにユーザ２０２、２０４、２１８、２３２の数を利用する。パケットがマルチユーザ・パケットであれば、ＡＴ ２０２〜２４０はマルチユーザ・データ・パケットとマルチユーザ、重畳符号化パケットとを区別するために電力割付けを利用する。マルチユーザ・データ・パケットは十分な電力（ＰT）で伝送され、そしてマルチユーザ、重畳符号化パケットは基準化電力（αＰT）によって伝送される。
【００９８】
他のパケット・パラメータ（非重畳符号化パケット・パラメータ）は現在の方法及び装置が用いられる通信標準規格に応じてプリアンブルによって表される。重畳符号化戦略を組込むために、プリアンブルは重畳符号化パケットを単一ユーザ・パケット、マルチユーザ・パケット、制御チャネル・パケット、及び同報パケットといった他の形式のデータ・パケットと区別する。
【００９９】
プリアンブル情報を伝えることはプリアンブル情報を割付けられたパケット・ビット空間がペイロードに割付けられるパケット・ビット空間を取去るということでオーバーヘッドと見なされる。下記で更に詳細に論じるように、最もふさわしいユーザ２０２は重畳符号化パケット・パラメータに関する情報なしで重畳符号化パケットを処理する。このように、重畳符号化パケットは最もふさわしいユーザ２０２がプリアンブルにおけるどんな重畳符号化パケット・パラメータ情報も受取らないが、プリアンブルにおける非重畳符号化パケット・パラメータをなお受取るように編集される。下の表２は括弧に示したビット割付けを持つ３-ユーザ重畳符号化パケットに関する重畳符号化パケット構造例を例示する：
【表２】
0005425868.tif 000016
【０１００】
これらのパケットの各々は種々の無線通信標準規格を用いて構築される。
【０１０１】
図９Ａは重畳符号化パケットを編集、伝送、処理及び受信するために使用される装置の論理ブロック図５００である。個々のデータ・パケットは符号器１４ａ〜１４ｄにおいてそれぞれ符号化され、変調器１７ａ〜１７ｄにおいてそれぞれ変調され、伝送電力（アルファ「α」）は符号化及び変調データ・パケットを総伝送電力に適用されるαによって乗算器１８ａ〜１８ｄにおいてそれぞれ乗算することにより基準化される（即ち、αiＰT）。結果として得られたパケットはそれから送信器５０２において重畳符号化パケットを編集するために加算器（adder）５２０において加算される。重畳符号化パケットはそれから各順方向回線チャネル５０４ａ〜５０４ｄ上で伝送される。各ＡＴ ２０２、２０４、２１８、２３２は受信器５０５ａ〜５０５ｄにそれぞれ在る受信器復調器５０８ａ〜５０８ｄ及び復号器５１０ａ〜５１０ｄにおいてパケットを受取り、且つ処理する。重畳符号化パケットを処理するために、復号器５１０ａ〜５１０ｄは（ｉ）強いユーザ２０２、２０４、２１８、２３２に関するデータ・パケットを干渉として扱い、そして（ｉｉ）弱いユーザ２０２、２０４、２１８、２３２に関するデータ・パケットを復号し、且つ引算する。
【０１０２】
図９Ｂは図９Ａの送信器を詳述する例であり、ここでは様々なユーザ２０２、２０４、２１８、２３２がより良いスペクトル効率を達成するために種々の無線通信標準規格を利用する。一つの場合では、最もふさわしいユーザ２０２は１ｘＥＶ-ＤＯ Ｒｅｖ Ｂフォーマットを利用し、そして他のユーザ２０４、２１８、２３２はＯＦＤＭパケット・フォーマットを利用する。 例えば、図９Ｂは１ｘＥＶＤＯ Ｒｅｖ Ｂフォーマットによって符号化されたデータ・パケット１を示し、一方データ・パケット２〜４はＯＦＤＭフォーマットを利用して符号化される。図９Ｂはまたディジタル信号プロセッサ（ＤＳＰ）１６ａ〜１６ｄによってＯＦＤＭパイロット・トーンへ、そしてディジタル時間領域ＯＦＤＭシンボルを造出する符号器１４ｂ〜１４ｄによって造出された周波数領域シンボルへ適用される逆フーリエ変換（ＩＦＦＴ）を示す。ＤＳＰ １６ａ〜１６ｄはまたディジタル時間領域ＯＦＤＭシンボルに追加のスペクトル整形を行い、そして循環プリフィクスまたはガード区間を付加する。さらに、データ・パケットは乗算器１８ａ〜１８ｄにおいて総伝送電力ＰT に適用されるαによってそれぞれそれらを乗算することによって基準化される（即ち、αiＰT）伝送電力（アルファ「α」）である。ＯＦＤＭパイロット・トーンは乗算器１８ｅにおいて総伝送電力ＰT に適用されるβによって乗算することによって基準化される。図９Ｂはまた加算器（summer）５２２において処理ＯＦＤＭパイロット・トーンと結合される１ｘＥＶ-ＤＯフォーマット化データ・パケット１を示す。図９Ｂに例示したように、パケット１は１ｘＥＶ-ＤＯデータ・パケットまたは１ｘＥＶ-ＤＯ制御チャネル・パケットである。
【０１０３】
四つのデータ・パケットはそれから加算器５２０において結合される。加算器５２０の出力は重畳符号化シンボルを造出するために１ｘＥＶ-ＤＯパイロット、ＭＡＣ及びプリアンブル信号とマルチプレクサー５２４に入力される。
【０１０４】
図９Ｃ及び９Ｄは時間及び周波数領域におけるデータ内容の例を提供する。図９Ｃはいかに様々なパケットが時間領域において電力の一部分を受取る各ユーザ２０２〜２４０と適合されるかを示す。層状符号化によって、基本ストリームは第一の変調シンボル・ストリームを生成するために第一のモードに従って符号化され、且つ変調され、第二のストリームは第二の変調シンボル・ストリームを生成するために第二のモードに従って符号化され、且つ変調される。第一及び第二のモードは同じであるか、もしくは異なる。多元変調シンボル・ストリームはそれから一つのデータ・シンボル・ストリームを取得するために結合される。ＭＩＭＯパイロットのような追加の層もまた提供される。
【０１０５】
図９Ｃは異なるパケット・フォーマットを使用するデータを含む混成スロットを例示する。基本ストリームは１６パイロット・トーンを含む層として示される。時間スロットの第一層は有用なＯＦＤＭ内容を含まず、そして第二及び第三層はＯＦＤＭフォーマットを使用する。一つの実施例では、第一層は１ｘＥＶ-ＤＯ Ｒｅｖ Ｂフォーマットによって符号化される。一つ以上の物理チャネルが異なるフォーマットによってチャネル化されるので、それは混成スロットと呼ばれる。この実施例では、第一層は混成スロットにおいて伝送される合成波形を生成するために二つのＯＦＤＭ波形に付加される。図９Ｃにおける例は様々なユーザ２０２〜１４０がそれらのデータ・パケットを構築するために種々の無線通信標準規格を使用することを例示するために使用される。
【０１０６】
図９Ｄは現在の方法及び装置の一実施例に使用される１ｘＥＶ-ＤＯ順方向回線スロット・フォーマットを例示する。示しているように、このスロット・フォーマットは四つのチャネル：パイロット、ＭＡＣ、制御、及びトラヒックを支援する。これらは図９Ｄに示したように各スロット（１．６６・・・ｍｓ）の中に時間多重化される。
【０１０７】
パイロット・チャネルは情報を運ばないが、受信器端末において信号の検出、同期、及び復調を補助するために使用される。ＭＡＣャネルはＣＤＭＡ（それは長さ６４のウォルシュ符号を用いる）を使用し、そして個々のアクセス端末へ制御情報（例えば電力制御ビット）を運ぶ。
【０１０８】
スロットの残りの部分は制御またはトラヒック・チャネルのいずれかを伝送するデータのために使用される。示されたように、制御チャネルは携帯電話に定期的に伝送され、同報される制御情報を運ぶ。トラヒック・チャネルはユーザ・データのパケットを運ぶ。トラヒックもしくはデータ・チャネルは種々のパケット・フォーマットを使用するデータを含む混成スロットである。基本ストリームは基準化要素βによって基準化されるＭＩＭＯパイロット・トーンを含む層として示される。次の三つの層はデータまたはトラヒック・ストリームである。第一層は１ｘＥＶ-ＤＯ Ｒｅｖ Ｂフォーマットを使用し、そして第二層はＯＦＤＭフォーマットを使用する。各ユーザに関する基準化要素はα1、α2、α3、及びα4として示される。各々が４００チップを含む四つのデータ・チャネルが示される。第一のデータ・チャネルでは、最初の１２８チップはプリアンブルのために留保され、一方、他の２７２チップは１ｘＥＶ-ＤＯデータ・チップ及びＯＦＤＭトーンのために使用される。他の三つのデータ・チャネルでは、４００チップは１ｘＥＶ-ＤＯデータ・チップ及びＯＦＤＭトーンのために使用される。ＭＩＭＯパイロット・トーンはマルチアンテナ・システムにおけるチャネル評価を援用するために存在する（β≠０）。これは現在の実施例と関係がないが、実用システムを忠実に記述するために含まれる。ＭＩＭＯパイロットが存在しているとき、全ての層はそれを干渉として扱おうとしている。
【０１０９】
図９Ｅは種々のパケット・フォーマットを使用する混成データ・スロットを例示する。基本ストリームはＭＩＭＯパイロット・トーンを含む層として示される。時間スロットの第一層は１ｘＥＶ-ＤＯパケット・フォーマットを使用し、そして第二及び第三層はＯＦＤＭフォーマットを使用する。この実施例では、第一層は混成スロットにおいて伝送される合成波形を生成するために層２及び３に付加される。
【０１１０】
図９Ｇは種々のパケット・フォーマットを使用する別の混成データ・スロットを例示する。基本ストリームはＭＩＭＯパイロット・トーンを含む層として示される。時間スロットの第一層はＧＳＭフォーマットを使用し、そして第二層はＯＦＤＭフォーマットを使用する。この実施例では、第一層は混成スロットにおいて伝送される合成波形を生成するために層２に付加される。
【０１１１】
図１０は一つ以上のデータ・パケットを編集、伝送、及び処理するために使用される方法６００である。基地局１３０は単一ユーザ・データ・パケット、十分な電力で伝送されたマルチユーザ・データ・パケット、または基準化電力（αＰT）で伝送されたマルチユーザ重畳符号化パケットを編集するかどうかを決定する。ステップ６０２で、基地局１３０は基準化電力（αＰT）で伝送された重畳符号化パケットを編集するかどうかを決定する。基地局１３０はこの決定を方法３００に基づいて行う。基地局１３０が十分な電力で伝送された単一ユーザ・データ・パケットまたはマルチユーザ・データ・パケットを編集することを決定するならば、方法６００は基地局１３０が所望のデータ・パケットを編集するステップ６０４に進む。ステップ６０４から、方法６００はステップ６０８に進む。
【０１１２】
基地局１３０がステップ６０２でマルチユーザ、重畳符号化パケットを編集することを決定するならば、方法６００はステップ６０６に進む。ステップ６０６で、方法６００は選択されたユーザ２０２〜２４０結合からの重畳符号化パケットを編集する。これは方法３００を用いることによって達成される。ステップ６０８で、方法６００は順方向回線チャネル５０４上で重畳符号化パケットを選択されたユーザ２０２〜２４０結合における各ユーザ２０２〜２４０に伝送する。選択されたユーザ２０２〜２４０結合における各ユーザはステップ６１０で重畳符号化パケットを受取る。
【０１１３】
現在の例では、全４ユーザ２０２、２０４、２３２、及び２１８に関するデータ・パケットは重畳符号化パケットの中に含まれると推測する。ユーザ２０２、２０４、２３２、及び２１８がそのユーザ２０２、２０４、２３２、及び２１８用であるデータ・パケットを取得するために、ユーザは重畳符号化パケットを処理する。このように、ステップ６１２で、各ユーザ２０２、２０４、２３２、及び２１８は受信重畳符号化パケットの処理を始める。
【０１１４】
受信重畳符号化パケットを処理する第一のステップとして、各ユーザ２０２、２０４、２３２、及び２１８はステップ６１４でプリアンブルを読む。上で述べたように、最もふさわしいユーザ２０２、２０４、２３２、及び２１８は重畳符号化パケットを処理するためにプリアンブルにおける重畳符号化パケット・パラメータ情報を受取る必要はない。
【０１１５】
ステップ６１６で、各ユーザはそのユーザ２０２、２０４、２３２、及び２１８が最もふさわしいユーザ２０２であるかどうかを判定する。例えば、受信プリアンブルが重畳符号化パケット・パラメータ（ＭＡＣ ＩＤ）を含むならば、そのユーザ２０２、２０４、２３２、及び２１８はそれが最もふさわしいユーザ２０２ではないことを知り、そして方法６００はステップ６２２へ進む。受信プリアンブルが重畳符号化パケット・パラメータを含まないならば、そのユーザ２０２、２０４、２３２、及び２１８はそれが最もふさわしいユーザ２０２であることを知る。一実施例では、重畳符号化パケットは１００％未満の電力割付け持つ最もふさわしいユーザに伝送されるマルチユーザ・パケットを含む。このマルチユーザ・パケットは重複ユーザ２０２、２０４、２３２、及び２１８及びそのペイロード・サイズ及び最初の電力割付けに関する情報を含む。
【０１１６】
ユーザ２０２、２０４、２３２、及び２１８がステップ６１６でそれが最もふさわしいユーザ２０２であることを判定するならば、ユーザ２０２、２０４、２３２、及び２１８は総伝送電力の百パーセントが最もふさわしいユーザ２０２に割付けられたことを仮定することによってステップ６１８で受信パケットを処理することを試みる。最終的に旨くいけば、このことは、受信パケットが単一ユーザ・データ・パケット（α＝１．００）、全電力で伝送されたマルチユーザ・データ・パケット（α＝１．００）、または最もふさわしいユーザ２０２、２０４、２３２、及び２１８ ＳＩＮＲと次の最もふさわしいユーザ２０２、２０４、２３２、及び２１８ ＳＩＮＲとの間の差異が非常に大きくて伝送電力のほぼ全てが最もふさわしいユーザ２０２に割付けられた重畳符号化パケットのいずれかであったことを意味する。最もふさわしいユーザ２０２はまた総伝送電力の６０％が最もふさわしいユーザ２０２に割付けられたことを仮定することによってステップ６２０で受信パケットを処理することを試みる。ステップ６１８及び６２０から、方法６００はステップ６２２へ進む。
【０１１７】
ステップ６２２で重畳符号化パケットを処理するために、ユーザは（ｉ）強いユーザ２０２、２０４、２３２、２１８に関するデータ・パケットを干渉として扱い、そして（ｉｉ）弱いユーザ２０２、２０４、２１８、２３２を意味するデータ・パケットを復号し、且つ引算をする。弱いユーザ２０２、２０４、２１８、２３２データ・パケットを引算することによって、各ユーザはそのユーザ２０２、２０４、２１８、２３２向けのデータ・パケットを取得する。
【０１１８】
データ・パケットを干渉として取扱うこと及びそのようなデータ・パケットを無効にすることは連続干渉相殺（successive interference cancellation）によって達成される。連続干渉相殺（ＳＩＣ）では、各ユーザ２０２、２０４、２１８、２３２の信号はそれらの基準化伝送電力（αiＰT）値に従って最もふさわしい信号から最も強い信号へ順番に復調され、且つ相殺される。各基準化伝送電力値はプリアンブルの一部として重畳符号化パケットに伝送されるので基準化伝送電力値は既知である。干渉の連続相殺は次のように実行される：ｉ）より弱い信号を認識する；ｉｉ）より弱いユーザ２０２、２０４、２１８、２３２を復号する；ｉｉｉ）復号されたユーザ２０２、２０４、２１８、２３２の振幅を重畳符号化パラメータから決定する；ｉｖ）より弱いユーザ２０２、２０４、２１８、２３２の信号を再-生成（再構築または再符号化）する。この再構築は対応するより弱いユーザ２０２、２０４、２１８、２３２に関するデータ・パケットを再構築する際に使用された無線通信標準規格を考慮しなければならない；ｖ）より弱いユーザ２０２、２０４、２１８、２３２を無効にする；そしてｖｉ）全てのより弱いユーザ２０２、２０４、２１８、２３２が復号されるまで繰り返す。
【０１１９】
このように、ステップ６２２で重畳符号化パケットを処理するために、方法６００はより強いユーザ２０２、２０４、２１８、２３２データ・パケットを無効にし、そして重畳符号化パケットを処理するためにステップ６２６でより弱いユーザ２０２、２０４、２１８、２３２データ・パケットを引去る。現在の例では、ユーザ２０２は最もふさわしいユーザ２０２であるので、ユーザ２０２は全ての他のユーザ２０２、２０４、２１８、２３２を干渉として扱う。下記の表３は各々のユーザ２０２、２０４、２３２、及び２１８が所望のデータ・パケットを重畳符号化パケットから取得するために用いる技術を同定する。
【表３】
0005425868.tif 000017
【０１２０】
データ・パケットの処理の間、ＡＴ復号器５０６は正しくデータ・パケットを処理する。代りは、ＡＴ復号器５０６は誤りを検出し、そして正しくデータ・パケットを処理することができない。いずれにせよ、ＡＴ ２０２、２０４、２１８、２３２は基地局１２６〜１４２にデータ・パケットを処理することのＡＴ ２０２、２０４、２１８、２３２の成功を通知するために基地局１２６〜１４２へ受領確認（Acknowledgement）（肯定または否定）を送る。しかしながら、これは重畳符号化情報パケットによって使用されない。一実施例では、オン・オフ・キーイング変調（ＯＯＫ）ＡＣＫ（ＭＵＰに使用されるものと類似する）が使用され、そこでは「１」はＡＣＫ（肯定応答）を意味し、そして「０」はＮＡＫ（否定応答）を意味する。
【０１２１】
自動繰返し要求（Automatic Repeat Request：ＡＲＱ）手法がデータの自動再伝送を提供する。データが正しく復号されるとき、混成ＡＲＱ（Ｈ-ＡＲＱ）システムはそのような再伝送の早期終了を可能にする。受信器ＡＴ ２０２、２０４、２１８、２３２は基地局１２６〜１４２がデータ・パケットをその特定のＡＴ ２０２、２０４、２１８、２３２に再送する必要があるかどうかについて送信器基地局１２６〜１４２に通知する。データが正しく受信されたとき肯定応答（ＡＣＫ）が返され、そして誤りが検出されたとき否定応答（ＮＡＣＫ）が返される。否定応答は沈黙（戻りＡＲＱなし）であり、そして肯定応答は戻りＡＲＱである。さらに複雑な誤り制御システムでは、情報ブロックはＡＴ ２０２、２０４、２１８、２３２において部分誤り訂正について符号化され、そして追加の未訂正誤りは基地局１２６〜１４２によって再伝送される。方法６００は様々な誤り制御システムを利用し、そして各ユーザＡＴ ２０２、２０４、２１８、２３２はステップ６２８でＡＲＱを基地局１２６〜１４２に送り返す。
【０１２２】
ステップ６３０で、基地局１３０は重畳符号化パケット・ユーザ２０２、２０４、２１８、２３２から各ＡＲＱを受取る。総伝送電力（ＰT）は重畳符号化パケットの後にアルファαスカラー（即ち、αiＰT）に基づいて重畳符号化パケットに含まれる各データ・パケットに割付けられることを想起せよ。ユーザ２０２、２０４、２１８、２３２がデータをデータ・パケットから正しく受取るならば、基地局１３０はそのユーザへその特定のデータ・パケットを再送する必要はない。このように、ユーザ２０２、２０４、２１８、２３２がスロット・インターレースのスロットの前にデータ・パケットの再伝送のそれらの要求を終結させるならば、もともとそのユーザ２０２、２０４、２１８、２３２に割付けられた伝送電力は残りのユーザ２０２、２０４、２１８、２３２間で再分配される。これは動的なアルファ更新と云われる。
【０１２３】
各インターレース・スロットの間、方法６００はＮＡＣＫ-ＡＲＱが受信されたデータ・パケットを再送する。下記の表４は４-スロット・インターレース例を例示する :
【表４】
0005425868.tif 000018
【０１２４】
表４に一覧のユーザ２０２、２０４、２１８、２３２は最もふさわしいユーザ２０２（最低に報告されたＳＩＮＲ）から最も強いユーザ２１８（最高に報告されたＳＩＮＲ）に配列される。最初のインターレース・スロットの終了の後、ユーザ２（ユーザ２０４）はデータを重畳符号化パケットから正しく受取っていて、そして残りのユーザ２０２、２１８、２３２（１、３、及び４）は誤りに直面した。最初のインターレース・スロットの後でユーザ２（２０４）がデータを重畳符号化パケットから正しく受け取った理由はユーザ２（２０４）が予測されたより良好な順方向回線を得たことである。
【０１２５】
基地局１３０は表４の矢印によって示したようにユーザ２（２０４）の伝送電力をユーザ３（ユーザ２３２）へ割付ける。第二のインターレース・スロットの後で、ユーザ４（２１８）は正しくデータを受取った。従って、基地局１３０は早く終結するユーザ４（２１８）の伝送電力を双方共が誤りに直面し、そして次に最高のＳＩＮＲを要求したユーザ、即ち、ユーザ３（２３２）に割付けた。第三のインターレース・スロットの後、ユーザ３（２３２）は正しくデータを受取り、そして基地局１３０はユーザ３（２３２）の伝送電力をユーザ１（２０２）に割付けた。
【０１２６】
上記を考慮して、方法６００はステップ６３２で全てのユーザ２０２、２０４、２１８、２３２がデータをそれらのデータ・パケットから正しく受取ったかどうかを判定する。全てのユーザ２０２、２０４、２１８、２３２がデータをそれらのデータ・パケットから正しく受取ったならば、方法６００はステップ６３８へ進み、そして終結する。全てのユーザ２０２、２０４、２１８、２３２がデータをそれらのデータ・パケットから正しく受取らなかったならば、方法６００はデータをそれらのデータ・パケットから正しく受取ったそれらのユーザ２０２、２０４、２１８、２３２をステップ６３４で同定する。ステップ６３４で同定された復号成功の各ユーザについて、方法６００は復号成功の各ユーザ２０２、２０４、２１８、２３２の電力伝送を次に高いＳＩＮＲを持つ復号不成功のユーザ２０２、２０４、２１８、２３２にステップ６３６で再割付けする。方法６００はそれからステップ６０２に戻り、そして次の時間スロット・インターレースについてデータ・パケットを編集する。
【０１２７】
ステップ６０２へ戻ると、基地局１３０はステップ６３０において基地局１３０によって受取られたＡＲＱに基づいて単一ユーザ・データ・パケットまたはマルチユーザ、重畳符号化パケットを編集するかどうかを判定する。１ユーザ２０２、２０４、２１８、２３２だけがそのデータ・パケットを復号する際に誤りに直面したならば、基地局１３０は単一ユーザ・データ・パケットをただ編集する必要がある。さらに、次のスロット・インターレースについてデータ・パケットを編集する際、特定の時間スロット・インターレースの間に送るべきデータ・パケットは比較的少ないのでいくつかのプリアンブル・ビットは廃棄される。プリアンブル・ビットを廃棄することは伝送されるべきデータ量を減少させ、従ってそのデータが伝送される速度を増加させる。方法６００は全てのユーザ２０２、２０４、２１８、２３２がデータをそれらのデータ・パケットから正しく受取るまでこのように繰り返す。
【０１２８】
上記で開示したように、ＡＲＱによる早期の終了は電力再割付けをもたらす。層レベルに関して、層２に関する伝送は全ての層２ユーザがそれらのパケットの受取りを承認する。同様に、層１に関する伝送は全ての層２ユーザ及び層１ユーザがそれらのパケットの受取りを承認する場合に限り早く終結するであろう。 復調されたＳＩＮＲは埋込みＯＦＤＭパイロット・トーンを使用して測定される。このように、例えば、層２におけるパケットの一つが復号されるならば、他の層への電力割付けはこれらの埋込みＯＦＤＭパイロット・トーンによって検出される。
【０１２９】
マルチユーザ・パケットが復号された後、パケットが重畳符号化されることをＡＴ ２０２、２０４、２１８、２３２が決定することは注目される。
【０１３０】
現在の方法及び装置は重畳符号化パケットの編集、伝送、及び再伝送を扱う基地局１２６〜１４２に関するコンピュータ・チップ及び受信された重畳符号化パケットの処理を扱う各ＡＴ ２０２〜２４０に関するコンピュータ・チップの中に具現される。このことは現存する基地局コンピュータ・チップの特徴の基準化及び付加を呼び起こし、そして復号器、減算器、及び再符号器を現存するＡＴ ２０２〜２４０コンピュータ・チップに含ませることを必要とする。その方法及び装置は基地局１２６〜１４２コンピュータ・チップが重畳符号化パケットを編集するたびに用いられ、そして現在の方法及び装置の所有者は基地局１２６〜１４２コンピュータ・チップが重畳符号化パケットを編集するたびに料金を請求する。
【０１３１】
一実施例では、重畳符号化パケットは二つの層に限定され、それは二層ＯＦＤＭＡ重畳符号化または二層ＯＦＤＭＡ-ＳＰＣの例である（図１１を見よ）。図１１は２スロットに等しい公称範囲（nominal span）を持つ二層ＯＦＤＭＡ重畳符号化パケットの例である。それは端末の干渉相殺を単純化する最高２-層を持つ。さらに、それは電力再割付けを単純化する高位層にＯＦＤＭＡを使用する。このように、最低層を復号しているとき、層２は干渉として扱われる。図９Ｈでは、α1 は最低層に割付けられた電力を示し、一方、α2 は電力割付けがトーンの間で分割される（層２において最高４まで）層２に割付けられた電力を示す。
【０１３２】
低位層は１ｘＥＶ-ＤＯマルチユーザ・フォーマットを利用し、そして高位層はＯＦＤＭパケット・フォーマットを利用する。一実施例では、低位層は１ｘＥＶ-ＤＯ Ｒｅｖ Ａ／Ｂマルチユーザ・パケットを使用する。図９Ｈは帯域幅の５０％を各々割付けられた２ユーザを持つ高位層を例示する。しかしながら、別の実施例では、最高４ユーザが高位層上でサービスされる。
【０１３３】
最低層は１ｘＥＶ-ＤＯ制御チャネル・パケットである。プリアンブル電力割付けは最低層データ伝送について割付けられた電力に等しい。マルチユーザ・パケットが復号された後、パケットが重畳符号化されることをＡＴ ２０２、２０４、２３２及び２１８が決定することは注目される。
【０１３４】
ＭＡＣ-ＩＤはパケットが重畳符号化情報パケットであることを示すために使用される。同じく、それは層２（即ち、一実施例では１、２、 3 、または４）におけるパケット数を示すために２ビット、及びパケット終了目標を示すために２ビットを使用する。
【０１３５】
その上、層２は層２におけるユーザの数を示すために２ビットを使用する。同じく、それは８ビットＭＡＣ指数、割当てられた分配トーン集合／ユーザ、最初の電力割付けを表すために４ビット（全ての割当トーンに亘って同じである）を使用し、そしてペイロード・サイズは４ビットによって同じく表される。
【０１３６】
図１２は発明のいくつかの実施例が実施されるコンピュータ・システム７００である。いくつかの実施例では、現在の発明の技術はグラフィックス制作のために特化されたハードウェア・デバイスにハード符号化され、且つ／またはコンピュータ可読媒体に記憶されたコンピュータ実行可能命令（ソフトウェア）において実施される。
【０１３７】
コンピュータ・システム７００はバス７０５、プロセッサ７１０、システム・メモリー７１５、読出専用メモリー７２０、永久記憶デバイス７２５、入力デバイス７３０、出力デバイス７３５、及び代替プロセッサ７４０を含む。コンピュータ・システム７００のいくつかまたは全ての品目は編集ユニットに含まれ、もしくは制御プロセッサに含まれる。
【０１３８】
バス７０５はコンピュータ・システム７００の多数の内部デバイスを通信的に接続する全てのシステム、周辺装置、及びチップセット・バスを集合的に表す。例えば、バス７０５はプロセッサ７１０を読出専用メモリー７２０、システム・メモリー７１５、及び永久記憶デバイス７２５と通信的に接続する。
【０１３９】
読出専用メモリー（ＲＯＭ）７２０はコンピュータ・システムのプロセッサ７１０及び他のモジュールに必要とされる静的データ及び命令を記憶する。一方、永久記憶デバイス７２５は読み書きメモリー・デバイスである。このデバイスはコンピュータ・システム７００が電源オフのときでも、命令及びデータを記憶する不揮発性メモリー・ユニットである。本発明のいくつかの実施例は永久記憶デバイス７２５として大容量記憶デバイス（例えば磁気もしくは光ディスク及びその対応ディスク・ドライブ）を利用する。他の実施例は永久記憶デバイス７２５として移動可能記憶デバイス（例えばフロッピー（登録商標）・ディスクまたは他の記憶ディスク、及び対応するディスク・ドライブ）を利用する。
【０１４０】
永久記憶デバイス７２５と同様に、システム・メモリー７１５は読み書きメモリー・デバイスである。しかしながら、記憶デバイス７２５と異なり、システム・メモリーはランダム・アクセス・メモリー（ＲＡＭ）のような揮発性読み書きメモリーである。システム・メモリーはプロセッサがランタイムにおいて必要とする命令及びデータのいくつかを記憶する。
【０１４１】
いくつかの実施例では、現在の特許出願の方法を実行するために必要とされる命令及び／またはデータがシステム・メモリー７１５、永久記憶デバイス７２５、読出専用メモリー７２０、またはこの三つの組合せにおいて記憶される。例えば、様々なメモリー・ユニットはアプリケーションの命令及び／またはアプリケーションによって生成されたグラフィックス・データを含む。例えば、図７及び１０に例示したステップはシステム・メモリー７１５、永久記憶デバイス７２５、読出専用メモリー７２０、またはこの三つの組合せにおいて記憶された命令として記憶される。いくつかの実施例では、システム・メモリー７１５及び／または永久記憶デバイス７２５はキャッシュ及び／またはバッファーを含む。
【０１４２】
これらの様々なメモリー・ユニットから、プロセッサ７１０は現在の発明の処理を実行するための命令及び処理するためのデータを取り出す。いくつかの実施例では、プロセッサ７１０はプロセッサ７１０によって最近アクセスされ、もしくは造出されたデータを保持するためにオンチップ・キャッシュ７１２を利用する。いくつかの実施例では、代替プロセッサ７４０は現在の発明の処理を行うために命令を実行し、そしてデータを処理する。一実施例では、プロセッサはスケジューラ７１４を含む。スケジューラ７１４はまた代替プロセッサ７４０中にもしくは個別の処理手段として設置される。
【０１４３】
バス７０５はまた入力デバイス７３０及び出力デバイス７３５に接続する。入力デバイス７３０はユーザが情報を伝達し、そして命令をコンピュータ・システム７００が選択することを可能にする。入力バイス７３０は英数字両用のキーボード及びカーソル制御器を含む。出力デバイス７３５はコンピュータ・システム７００によって生成された画像を印刷し、または表示する。出力デバイスはプリンター、及び陰極線管（Cathode Ray Tubes：ＣＲＴ）または液晶表示器（Liquid Crystal Displays：ＬＣＤ）といった表示デバイスを含む。
【０１４４】
最後に、図１２に示したように、バス７０５はまた、例えば、ネットワーク・アダプター（示されない）を介してコンピュータ・システム７００をネットワーク７６５と連結する。このように、コンピュータ・システム７００はコンピュータのネットワーク（例えば、ローカル・エリア・ネットワーク（ＬＡＮ）、広域ネットワーク（ＷＡＮ）、またはイントラネット）の一部、またはネットワーク（例えば、インターネット）のネットワークである。コンピュータ・システム７００のどれかのまたは全ての構成要素は現在の発明と共に使用される。しかしながら、当業者は他のシステム形態もまた現在の発明と共に使用されることを認識するであろう。
【０１４５】
上で述べた図７及び１０の方法及び装置は図１３及び１４でそれぞれ例示した機能ブロックを加えた対応手段によって遂行される。云い換えれば、図７のステップ３０２〜３５２は図１３における機能ブロック１３０２〜１３５２を加えた手段に対応する。同様に、図１０のステップ６０２〜６３８は図１４における機能ブロック１６０２〜１６３８を加えた手段に対応する。
【０１４６】
上記の方法及び装置は進化データ専用（時分割多重化）（ＥＶＤＯ（ＴＤＭ））、直交周波数分割多重化（ＯＦＤＭ）、及び１ｘ符号分割多重化（１ｘ-ＣＤＭ）を含む、様々なシステムにおいて処理能力利益を提供することが期待される。最大の処理能力利益は時間（または周波数）-直交システムにおいて動作する強いユーザのために期待される。
【０１４７】
上記の方法及び装置は様々なアプリケーションに適用される。例えば、インターネット音声プロトコル（Voice-Over-Internet Protocol：ＶｏＩＰ）に適用されるとき、１ｘＥＶ-ＤＯ順方向回線上の重畳符号化の発明は低待ち時間（伝送遅延の減少）、多数のセクタ当りユーザ数（即ち、高容量）、またはこの二つの結合を可能にする。広告のような同報サービスに適用されるとき、同報サービスは個々のユーザ向けのユニキャスト・トラヒックによって重畳符号化され、その結果同報及びユニキャスト・トラヒック両方が共に伝送される。このように、従来の無線通信システムと異なり、現在の発明はユニキャスト・トラヒックによって同報トラヒックを先取する必要性を最小にし、もしくは除外する。云い換えれば、同報トラヒックは現在の方法及び装置を用いるそれらのシステムのユニキャスト・トラヒックの期間は妥協の必要はない。
【０１４８】
現在の方法及び装置は多数の特定の詳細に関して述べてきたが、当業者はその発明が発明の精神から逸脱することなく他の特定の形において具現されることを認識するであろう。このように、当業者はその発明が前述の例示の内容によって制限されるべきではなく、むしろ付随の請求項によって定義されるべきであることを理解するであろう。同じ注釈に関して、ＣＤＭＡ及びＯＦＤＭの変調フォーマットが例として使用された。データ・パケットはいずれかの無線通信標準規格に適合して構築される。
【０１４９】
当業者は情報及び信号が様々な異なる技術及び技法のどれかを使用して表されることを理解するであろう。例えば、上の記述の至る所で参照されたデータ、指示、命令、情報、信号、ビット、シンボル、及びチップは電圧、電流、電磁波、磁界または粒子、光学場または粒子、またはそれのどれかの組合せによって表される。
【０１５０】
当業者はここに開示された実施例と関連して記述された様々な例示の論理ブロック、モジュール、回路、及び、アルゴリズム・ステップが電子ハードウェア、コンピュータ・ソフトウェア、または両者の組合せとして実施されることを認識するであろう。ハードウェア及びソフトウェアのこの互換性を例示するために、様々な例示の構成要素、ブロック、モジュール、回路、及びステップは一般にそれらの機能性に関して上で述べてきた。そのような機能性がハードウェアまたはソフトウェアとして実施されるか否かは特定のアプリケーション及び全体システムに課せられた設計の制約によって決まる。熟練技術者は各特定アプリケーションについて様々な方法で記述された機能性を実施するが、そのような実施決定は現在の発明の範囲から逸脱を引き起こすと解釈されるべきでない。さらに、方法ステップは本発明の範囲から逸脱することなく置換えられる。
【０１５１】
ここに開示された実施例に関連して記述された様々な例示の論理ブロック、モジュール、及び回路はここに述べた機能を実行するために設計された一般用途のプロセッサ、ディジタル信号プロセッサ（ＤＳＰ）、特定用途向け集積回路（ＡＳＩＣ）、フィールド・プログラマブル・ゲートアレイ（ＦＰＧＡ）または他のプログラマブル論理デバイス、個別ゲートまたはトランジスタ論理、個別ハードウェア部品、またはその組合せによって実施または実行される。一般用途のプロセッサはマイクロプロセッサであるが、これに代るもので、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと連動する一つ以上のマイクロプロセッサ、または他のそのような構成として実施される。
【０１５２】
ここに開示された実施例に関連して記述された方法またはアルゴリズムのステップは直接ハードウェアにおいて、プロセッサによって実行されるソフトウェア・モジュールにおいて、またはその二つの組合せにおいて具体化される。ソフトウェア・モジュールはＲＡＭメモリー、フラッシュ・メモリー、ＲＯＭメモリー、ＥＰＲＯＭメモリー、ＥＥＰＲＯＭメモリー、レジスタ、ハードディスク、リムーバブル・ディスク、ＣＤ-ＲＯＭ、または他の形の当技術分野において知られている記憶媒体に常駐される。典型的な記憶媒体はそのようなプロセッサが記憶媒体から情報を読取り、記憶媒体へ情報を書込むことができるようにプロセッサと接続される。これに代るものでは、記憶媒体はプロセッサに一体化してもよい。プロセッサ及び記憶媒体はＡＳＩＣに常駐してもよい。ＡＳＩＣはユーザ端末に常駐してもよい。これに代るものでは、プロセッサ及び記憶媒体はユーザ端末に個別部品として常駐してもよい。
【０１５３】
開示された実施例の前の記述は当業者が本発明を行い、または使用することを可能にするため提供される。これらの実施例への様々な修正は当業者には明白であり、ここに定義された一般的な原理は本発明の精神または範囲から逸脱することなく他の実施例に適用される。このように、本発明はここに示された実施例に限定されることを意図するものではないが、ここに開示された原理及び新規な特徴と合致する最も広い範囲を与えられるべきである。
【０１５４】
様々なユーザへ電力割付け（αi）は様々な方法において示される。一つの手段は範囲（０，１）をいくつかのより小さなレベルに分割し、そして電力割付けに最もよく近づくレベルを示すことである。別の方法はデータを搬送するために利用された要求されるデータ速度（ＤＲＣ）及びパケット・フォーマットを示すことである。そこで移動体は割付けられた電力の一部分を計算するであろう。
［１］  重畳符号化パケット・パラメータ及び非重畳符号化パケット・パラメータを含む少なくとも一つのプリアンブル、及び複数のデータ・パケットを持つペイロードを含む重畳符号化パケット構造。
［２］  前記重畳符号化パケット・パラメータは、重畳符号化パケットにおける多数のユーザ、重畳符号化パケットの長さ、各前記重畳符号化パケット・ユーザに関する部分的電力割付け、各前記重畳符号化パケット・ユーザに関するペイロード・サイズ、各前記重畳符号化パケット・ユーザの物理アドレス、及びパケットが単一ユーザ・データ・パケット、マルチユーザ・データ・パケット、またはマルチユーザ、重畳符号化パケットであるかどうかの指標を含む、［１］記載の重畳符号化パケット構造。
［３］  前記重畳符号化パケットは少なくとも一つの高位層及び少なくとも一つの低位層を持ち、前記少なくとも一つの低位層は少なくとも一つの同報サービスを含み、そして前記少なくとも一つの高位層は個々のユーザ向けユニキャスト・トラヒックを含み、それにより同報及びユニキャスト・トラヒックの両者は共に伝送される、［１］記載の重畳符号化パケット構造。
［４］  前記少なくとも一つの同報サービスは１ｘＥＶ-ＤＯにおける制御チャネルである、［３］記載の重畳符号化パケット構造。
［５］  前記少なくとも一つの同報サービスはプラチナ同報を含み、特定の領域向けの情報が伝送される、［３］記載の重畳符号化パケット構造。
［６］  前記重畳符号化パケットの前記少なくとも一つの低位層は１ＥＶ-ＤＯにおける制御チャネルを含み、そして前記重畳符号化パケットの前記少なくとも一つの高位層はＯＦＤＭトーンを含む、［３］記載の重畳符号化パケット構造。
［７］  前記重畳符号化パケットの前記少なくとも一つの高位層はＯＦＤＭＡパケットを含む、［３］記載の重畳符号化パケット構造。
［８］  前記重畳符号化パケットの前記少なくとも一つの低位層はＧＳＭ（登録商標）を含み、そして前記重畳符号化パケットの前記少なくとも一つの高位層はＯＦＤＭＡパケットを含む、［３］記載の重畳符号化パケット構造。
［９］  少なくとも一つの入力と少なくとも一つの出力を持つ複数の符号器、少なくとも一つの入力と少なくとも一つの出力を持ち、前記少なくとも一つの入力は前記複数の符号器の少なくとも一つの対応出力に動作可能に接続される複数の変調器、第一の入力、第二の入力及び少なくとも一つの出力を持ち、前記少なくとも一つの入力は前記複数の変調器の少なくとも一つの対応出力に動作可能に接続され、そして前記第二の入力は基準化伝送電力に動作可能に接続され、前記符号化及び変調されたデータ・パケットは前記基準化伝送電力によって乗算される複数の乗算器、及び  複数の入力及び少なくとも一つの出力を持ち、前記複数の入力は前記複数の乗算器の前記少なくとも一つの出力に動作可能に接続される少なくとも一つの加算器、を持つ送信器を具備する重畳符号化パケットを編集する装置。
［１０］  複数の符号器は、少なくとも一つの入力と少なくとも一つの出力を持ち、それによりＯＦＤＭパイロット・トーンと周波数領域シンボルが造出される第一の符号器、及び  少なくとも一つの入力と少なくとも一つの出力を持ち、それにより１ｘＥＶ-ＤＯデータとＭＩＭＯパイロット・トーンが造出される第二の符号器を含み、ここで複数のディジタル信号プロセッサは、少なくとも一つの入力と少なくとも一つの出力を持ち、前記少なくとも一つの入力は前記第一の符号器の少なくとも一つの対応出力に動作可能に接続され、それによって逆フーリエ変換が前記ＯＦＤＭパイロット・トーンへ、そして前記符号器によって造出された前記周波数領域シンボルへ適用され、それによって時間領域ＯＦＤＭシンボルが造出される第一のディジタル信号プロセッサ、及び  少なくとも一つの入力と少なくとも一つの出力を持ち、前記少なくとも一つの入力は前記第二の符号器の少なくとも一つの対応出力に動作可能に接続され、それによって逆フーリエ変換がＭＩＭＯパイロット・トーンに適用され、それによって処理されたＭＩＭＯパイロット・トーンが造出される第二のディジタル信号プロセッサを含み、ここで複数の乗算器は、第一の入力、第二の入力及び少なくとも一つの出力を持ち、前記少なくとも一つの入力は前記第二のディジタル信号プロセッサの前記少なくとも一つの出力に動作可能に接続され、そして前記第二の入力は第一の基準化伝送電力に接続され、ここで前記処理されたＭＩＭＯパイロット・トーンは前記第一の基準化伝送電力で乗算される第一の乗算器、第一の入力、第二の入力及び少なくとも一つの出力を持ち、前記少なくとも一つの入力は前記符号器の前記少なくとも一つの出力に動作可能に接続され、そして前記第二の入力は第二の基準化伝送電力に接続され、ここで前記１ｘＥＶ-ＤＯデータは前記第二の基準化伝送電力で乗算される第二の乗算器を含み、ここで複数の加算器は、複数の入力と少なくとも一つの出力を持ち、前記複数の入力は前記第一の乗算器の前記少なくとも一つの出力と前記第二の乗算器の前記少なくとも一つの出力に動作可能に接続さる第一の加算器、及び複数の入力と少なくとも一つの出力を持ち、前記複数の入力は前記第一及び前記第二の乗算器の前記少なくとも一つの出力及び前記第一の加算器の少なくとも一つの出力へ動作可能に接続さる第二の加算器、及び少なくとも一つの入力と少なくとも一つの出力を持ち、少なくとも一つの入力は１ｘＥＶ-ＤＯパイロット信号、１ｘＥＶ-ＤＯ ＭＡＣ信号、プリアンブル及び前記第二の加算器の前記少なくとも一つの出力へ動作可能に接続さる第三の乗算器を含む、［９］記載の重畳符号化パケットを編集する装置。
［１１］  前記重畳符号化パケットは少なくとも一つの高位層及び少なくとも一つの低位層を持ち、前記少なくとも一つの低位層は少なくとも一つの同報サービスを含み、そして前記少なくとも一つの高位層は個々のユーザ向けユニキャスト・トラヒックを含み、それにより同報及びユニキャスト・トラヒックの両者が共に伝送される、［９］記載の重畳符号化パケット。
［１２］  前記少なくとも一つの同報サービスは１ｘＥＶ-ＤＯにおける制御チャネルである、［１１］記載の重畳符号化パケット。
［１３］  前記少なくとも一つの同報サービスはプラチナ同報を含み、特定領域向けの情報が伝送される、［１１］記載の重畳符号化パケット。
［１４］  前記重畳符号化パケットの前記少なくとも一つの低位層は１ｘＥＶ-ＤＯにおいて制御チャネルを含み、そして前記重畳符号化パケットの前記少なくとも一つの高位層はＯＦＤＭトーンを含む、［１１］記載の重畳符号化パケット。
［１５］  前記重畳符号化パケットの前記少なくとも一つの高位層はＯＦＤＭＡパケットを含む、［１１］記載の重畳符号化パケット。
［１６］  前記重畳符号化パケットの前記少なくとも一つの低位層はＧＳＭを含み、そして前記重畳符号化パケットの前記少なくとも一つの高位層はＯＦＤＭＡパケットを含む、［１１］記載の重畳符号化パケット。
［１７］  重畳符号化のためにユーザ候補を編集すること、評価関数の結果に基づいて前記ユーザ候補を位置付けすること、前記のユーザ候補の中からふさわしいユーザ候補を選択すること、及び他のユーザ・データ・パケットを前記ふさわしいユーザのパケットへ付加することを含む重畳符号化パケットを編集する方法。
［１８］  評価関数は少なくとも一つのデータ速度要求を利用する、［１７］記載の方法。
［１９］  前記評価関数は、
【数６】
0005425868.tif 000019
を含み、但し、Ｆi(ｎ)は時間スロット「ｎ」におけるユーザ「ｉ」の評価関数であり、（ｉ＝１，・・・，Ｎ）、ＤＲＣi (ｎ)は時間スロット「ｎ」において前記ユーザ「ｉ」によって要求された瞬間データ速度である、Ｒi(ｎ) は適切なサイズの時間窓上で前記ユーザ「ｉ」によって旨く受取られた平均データ速度である、そしてｍａｘi (・) はユーザの決定括弧の数値の極大値を返す、［１７］記載の方法。
［２０］前記評価関数は：
【数７】
0005425868.tif 000020
を含も、但し、〈ＤＲＣi (ｎ)〉は適切なサイズの時間窓上で所与の時間スロット「ｎ」においてユーザ「ｉ」によって要求された平均データ速度を表す［１７］記載の方法。
［２１］  符号化前基準があるかどうかを決定することを含む、［１７］記載の方法。
［２２］  他のユーザ・データ・パケットを前記ふさわしいユーザのパケットに付加することは、重畳符号化のためのユーザ候補の一覧表を編集すること、及び処理能力伝送速度を最大にすることに基づいてユーザ候補の少なくとも一つを選択することを含む、［１７］記載の方法。
［２３］  前記ユーザ候補に関する前記データ・パケットは種々の無線通信標準規格に適合する、［１７］記載の方法。
［２４］  他のユーザ・データ・パケットを前記ふさわしいユーザのパケットへ付加する前記ステップは、前記最もふさわしいユーザのデータ速度制御より少ない要求データ速度制御を持つ前記ユーザ候補を取り除くことをさらに含む、［２２］記載の方法。
［２５］  他のユーザ・データ・パケットを前記ふさわしいユーザのパケットへ付加する前記ステップは、一つ以上の前記ユーザ候補が同じ前記データ速度制御を持つならば、最も高い平均データ速度制御を持つ前記ユーザ候補を留保することをさらに含む、［２２］記載の方法。
［２６］  他のユーザ・データ・パケットを前記ふさわしいユーザのパケットへ付加する前記ステップは、前記ユーザ候補の間の電力割付けを計算すること、前記ユーザ候補の少なくとも一つの結合について最大伝送速度を決定すること、前記伝送速度を最大にする前記結合を選択すること、前記選択された結合から前記重畳符号化パケットを編集することをさらに含む、［２２］記載の方法。
［２７］  前記無線通信標準規格の少なくとも一つは直交周波数分割多元アクセスを使用する、［２３］記載の方法。
［２８］  前記無線通信標準規格の少なくとも一つは符号分割多元アクセスを使用する、［２３］記載の方法。
［２９］  前記無線通信標準規格の少なくとも一つは汎欧州ディジタル・セルラー・システムを使用する、［２３］記載の方法。
［３０］  前記重畳符号化パケットは少なくとも一つの高位層及び少なくとも一つの低位層を含み、前記少なくとも一つの低位層は少なくとも一つの同報サービスを含み、そして前記少なくとも一つの高位層は個々のユーザ向けユニキャスト・トラヒックを含み、それにより同報及びユニキャスト・トラヒックの両者は共に伝送される、［２３］記載の方法。
［３１］  前記ユーザ候補の少なくとも一つの結合について前記最大伝送速度を決定する前記ステップは次の数式、
【数８】
0005425868.tif 000021
を使用し、但し、Ｒi は各ユーザ結合に関する最大伝送速度を表し、ＰT は重畳符号化パケットを伝送するために使用される総電力を表し、α（アルファ）は総伝送電力に適用されたスカラーを表し、そしてＮi は基地局によって入来信号に寄与する内部雑音の雑音スペクトル電力密度を表す［２６］記載の方法。
［３２］  前記ユーザ候補の間で電力割当を計算する前記ステップは少なくとも一つのアルファ・スカラーを計算することを含む、［２６］記載の方法。
［３３］  前記重畳符号化パケットを伝送すること、少なくとも一つの成功した復号ユーザの電力伝送を次に高い信号対情報及び雑音比を持つ不成功の前記復号ユーザに再割付けることをさらに含む、［２６］記載の方法。
［３４］  前記少なくとも一つの同報サービスは１ｘＥＶ-ＤＯにおける制御チャネルである、［３０］記載の方法。
［３５］  前記少なくとも一つの同報サービスはプラチナ同報を含み、そこでは特別な領域向けの情報が伝送される、［３０］記載の方法。
［３６］  前記重畳符号化パケットの少なくとも一つの低位層は１ｘＥＶ-ＤＯにおいて制御チャネルを含み、そして前記重畳化符号化パケットの前記少なくとも一つの高位層はＯＦＤＭトーンを含む、［３０］記載の方法。
［３７］  前記重畳符号化パケットの前記少なくとも一つの高位層はＯＦＤＭＡパケットを含む、［３０］記載の方法。
［３８］  前記重畳符号化パケットの前記少なくとも一つの低位層はＧＳＭを含み、そして前記重畳符号化パケットの前記少なくとも一つの高位層はＯＦＤＭＡパケットを含む、［３０］記載の方法。
［３９］  重畳符号化パケットを編集する装置であって、少なくとも一つのプロセッサ、前記プロセッサに動作可能に接続された少なくとも一つの入力装置、前記プロセッサに動作可能に接続された少なくとも 一つの出力装置、及び前記プロセッサに動作可能に接続された重畳符号化パケットを編集するために命令を含む少なくとも一つのメモリーを具備し、ここでは前記装置は前記命令を実行するように適応し、そしてここでは重畳符号化パケットを編集する前記命令はさらに、重畳符号化に関するユーザ候補を編集する、評価関数の結果に基づいて前記ユーザ候補を位置付けする、前記ユーザ候補の中からふさわしいユーザ候補を選択する、そして  他のユーザ・データ・パケットを前記ふさわしいユーザのパケットに付加する命令を含む装置。
［４０］  評価関数は少なくとも一つのデータ速度要求を利用する、［３９］記載の装置。
［４１］  前記評価関数は、
【数９】
0005425868.tif 000022
を含み、但し、Ｆi(ｎ)は時間スロット「ｎ」におけるユーザ「ｉ」の評価関数であり、（ｉ＝１，・・・，Ｎ）、ＤＲＣi (ｎ)は時間スロット「ｎ」において前記ユーザ「ｉ」によって要求された瞬間データ速度であり、Ｒi(ｎ) は適切なサイズの時間窓上で前記ユーザ「ｉ」によって旨く受取られた平均データ速度であり、そしてｍａｘi (・) はユーザの決定括弧の数値の極大値を返す、［３９］記載の装置。
［４２］前記評価関数は、
【数１０】
0005425868.tif 000023
を含み、但し、〈ＤＲＣi (ｎ)〉は適切なサイズの時間窓上で所与の時間スロット「ｎ」においてユーザ「ｉ」によって要求された平均データ速度を表す［３９］記載の装置。
［４３］  符号化前基準があるかどうかを決定することを含む、［３９］記載の装置。
［４４］  他のユーザ・データ・パケットを前記ふさわしいユーザのパケットに付加する前記命令は、重畳符号化のためのユーザ候補の一覧表を編集し、そして処理能力伝送速度を最大にすることに基づいて前記ユーザ候補の少なくとも一つを選択する少なくとも一つの命令をさらに含む、［３９］記載の装置。
［４５］  前記ユーザ候補に関する前記データ・パケットは種々の無線通信標準規格に適合する、［３９］記載の装置。
［４６］  他のユーザ・データ・パケットを前記ふさわしいユーザのパケットへ付加する前記命令は、前記最もふさわしいユーザのデータ速度制御より少ない要求データ速度制御を持つ前記ユーザ候補を取り除く少なくとも一つの命令をさらに含む、［４４］記載の装置。
［４７］  他のユーザ・データ・パケットを前記ふさわしいユーザのパケットへ付加する前記命令は、一つ以上の前記ユーザ候補が同じ前記データ速度制御を持つならば、最も高い平均データ速度制御を持つ前記ユーザ候補を留保する少なくとも一つの命令をさらに含む、［４４］記載の装置。
［４８］  他のユーザ・データ・パケットを前記ふさわしいユーザのパケットへ付加する前記命令は、前記ユーザ候補の間の電力割付けを計算し、前記ユーザ候補の少なくとも一つの結合について最大伝送速度を決定し、前記伝送速度を最大にする前記結合を選択し、そして  前記選択された結合から前記重畳符号化パケットを編集する少なくとも一つの命令をさらに含む、［４４］記載の装置。
［４９］  前記無線通信標準規格の少なくとも一つは直交周波数分割多元アクセスを使用する、［４５］記載の装置。
［５０］  前記無線通信標準規格の少なくとも一つは符号分割多元アクセスを使用する、［４５］記載の装置。
［５１］  前記無線通信標準規格の少なくとも一つは汎欧州ディジタル・セルラー・システムを使用する、［４５］記載の装置。
［５２］  前記重畳符号化パケットは少なくとも一つの高位層及び少なくとも一つの低位層を含み、前記少なくとも一つの低位層は少なくとも一つの同報サービスを含み、そして前記少なくとも一つの高位層は個々のユーザ向けユニキャスト・トラヒックを含み、それにより同報及びユニキャスト・トラヒックの両者は共に伝送される、［４５］記載の装置。
［５３］  前記ユーザ候補の少なくとも一つの結合について前記最大伝送速度を決定する前記ステップは次の数式、
【数１１】
0005425868.tif 000024
を使用し、但し、Ｒi は各ユーザ結合に関する最大伝送速度を表し、ＰT は重畳符号化パケットを伝送するために使用される総電力を表し、α（アルファ）は総伝送電力に適用されたスカラーを表し、そしてＮi は基地局によって入来信号に寄与する内部雑音の雑音スペクトル電力密度を表す［４８］記載の装置。
［５４］  前記ユーザ候補の間で電力割付けを計算する前記命令は少なくとも一つのアルファ・スカラーを計算する少なくとも一つの命令を含む、［４８］記載の装置。
［５５］  前記重畳符号化パケットを伝送し、そして  少なくとも一つの成功した復号ユーザの電力伝送を次に高い信号対情報及び雑音比を持つ不成功の前記復号ユーザに再割付ける少なくとも一つの命令を含む、［４８］記載の装置。
［５６］  前記少なくとも一つの同報サービスは１ｘＥＶ-ＤＯにおける制御チャネルである、［５２］記載の装置。
［５７］  前記少なくとも一つの同報サービスはプラチナ同報を含み、そこでは特別な領域向けの情報が伝送される、［５２］記載の装置。
［５８］  前記重畳パケットの少なくとも一つの低位層は１ｘＥＶ-ＤＯにおいて制御チャネルを含み、そして前記重畳符号化パケットの前記少なくとも一つの高位層はＯＦＤＭトーンを含む、［５２］記載の装置。
［５９］前記重畳符号化パケットの前記少なくとも一つの高位層はＯＦＤＭＡパケットを含む、［５２］記載の装置。
［６０］  前記重畳符号化パケットの前記少なくとも一つの低位層はＧＳＭを含み、そして前記重畳符号化パケットの前記少なくとも一つの高位層はＯＦＤＭＡパケットを含む、［５２］記載の装置。
［６１］  少なくとも一つのデータ・パケットを受取ること、プリアンブルを読むこと、ユーザが最もふさわしいユーザであるかどうかを決定すること、及び受信パケットを処理することを含む、重畳符号化パケットを処理する方法。
［６２］  前記受信パケットを処理するステップは、前記ユーザが最もふさわしいユーザであるならば、総伝送電力の６０から１００％が割付けられたと仮定することによって前記受信された少なくとも一つのデータ・パケットを処理することを含む、［６１］記載の方法。
［６３］  前記受信パケットを処理するステップは、より強いユーザに関する前記少なくとも一つのデータ・パケットを干渉として扱い、そして相殺すること、及びより弱いユーザを意味する前記少なくとも一つのデータ・パケットを復号し、そして引き算することを含む、［６１］記載の方法。
［６４］  前記少なくとも一つのデータ・パケットは種々の無線通信標準規格に適合する、［６１］記載の方法。
［６５］  前記処理された少なくとも一つのデータ・パケットについて承認を送ることをさらに含む、［６１］記載の方法。
［６６］  より強いユーザに関する前記少なくとも一つのデータ・パケットを干渉として扱い、且つそのようなデータ・パケットを相殺するステップは連続干渉相殺を含む、［６３］記載の方法。
［６７］  前記重畳符号化パケットは少なくとも一つの高位層及び少なくとも一つの低位層を含み、前記少なくとも一つの低位層は少なくとも一つの同報サービスを含み、そして前記少なくとも一つの高位層は個々のユーザ向けユニキャスト・トラヒックを含み、それによって同報及びユニキャスト・トラヒックの両者は共に伝送される、［６４］記載の方法。
［６８］  少なくとも一つの成功した復号ユーザの送信から少なくとも一つの不成功の復号ユーザへ電力を再割付けすることをさらに含む、［６５］記載の方法。
［６９］  前記層の全てのユーザがそれらのパケットの受取りを承認するならば、層に関する伝送を早く終了させることをさらに含む、［６５］記載の方法。
［７０］  前記少なくとも一つの同報サービスは１ｘＥＶ-ＤＯにおいて制御チャネルである、［６７］記載の方法。
［７１］  前記少なくとも一つの同報サービスはプラチナ同報を含み、そこでは特定の領域向けの情報が伝送される、［６７］記載の方法。
［７２］  前記重畳符号化パケットの少なくとも一つの低位層は１ｘＥＶ-ＤＯにおいて制御チャネルを含み、そして前記重畳符号化パケットの前記少なくとも一つの高位層はＯＦＤＭトーンを含む、［６７］記載の方法。
［７３］  前記重畳符号化パケットの少なくとも一つの低位層はＯＦＤＭＡパケットを含む前記重畳符号化パケットの前記少なくとも一つの高位層含む、［６７］記載の方法。
［７４］前記重畳符号化パケットの少なくとも一つの低位層はＧＳＭを含み、そして前記重畳符号化パケットの前記少なくとも一つの高位層はＯＦＤＭＡパケットを含む、［６７］記載の方法。
［７５］  重畳符号化パケットを編集する装置であって、少なくとも一つのプロセッサ、前記プロセッサに動作可能に接続された少なくとも一つの入力装置、前記プロセッサに動作可能に接続された少なくとも 一つの出力装置、及び前記プロセッサに動作可能に接続された重畳符号化パケットを編集するために命令を含む少なくとも一つのメモリーを具備し、ここでは前記装置は前記命令を実行するように適応し、そしてここでは重畳符号化パケットを編集する前記命令はさらに、少なくとも一つのデータ・パケットを受取る、プリアンブルを読む、ユーザが最もふさわしいユーザであるかどうかを決定する；そして  受信パケットを処理する命令をさらに含む装置。
［７６］  前記受信パケットを処理する前記命令は、前記ユーザが最もふさわしいユーザであるならば、総伝送電力の６０から１００％が割付けられたと仮定することによって前記受信パケットを処理する少なくとも一つの命令を含む、［７５］記載の装置。
［７７］  前記受信パケットを処理する前記命令は、より強いユーザに関するデータ・パケットを干渉として扱い、そして相殺する、及びより弱いユーザを意味するデータ・パケットを復号し、そして引き算する少なくとも一つの命令を含む、［７５］記載の装置。
［７８］  少なくとも一つのデータ・パケットが種々の無線通信標準規格に適合する、［７５］記載の装置。
［７９］  前記処理されたデータ・パケットについて承認を送る少なくとも一つの命令をさらに含む、［７５］記載の装置。
［８０］  より強いユーザに関するデータ・パケットを干渉として扱い、且つそのようなデータ・パケットを相殺する命令は連続干渉相殺を使用する少なくとも一つの命令を含む、［７７］記載の装置。
［８１］  前記重畳符号化パケットは少なくとも一つの高位層及び少なくとも一つの低位層を含み、前記少なくとも一つの低位層は少なくとも一つの同報サービスを含み、そして前記少なくとも一つの高位層は個々のユーザ向けユニキャスト・トラヒックを含み、それによって同報及びユニキャスト・トラヒックの両者は共に伝送される、［７８］記載の装置。
［８２］  少なくとも一つの成功した復号ユーザの送信を少なくとも一つの不成功の復号ユーザへ再割付けする少なくとも一つの命令をさらに含む、［７９］記載の装置。
［８３］  前記層の全てのユーザがそれらのパケットの受取りを承認するならば、層に関する伝送を終了させる少なくとも一つの命令をさらに含む、［７９］記載の装置。
［８４］  前記少なくとも一つの同報サービスは１ｘＥＶ-ＤＯにおける制御チャネルである、［８１］記載の装置。
［８５］  前記少なくとも一つの同報サービスはプラチナ同報を含み、そこでは特定の領域向けの情報が伝送される、［８１］記載の装置。
［８６］  前記重畳符号化パケットの少なくとも一つの低位層は１ｘＥＶ-ＤＯにおいて制御チャネルを含み、そして前記重畳符号化パケットの前記少なくとも一つの高位層はＯＦＤＭトーンを含む、［８１］記載の装置。
［８７］  前記重畳符号化パケットの前記少なくとも一つの高位層はＯＦＤＭＡパケットを含む、［８１］記載の装置。
［８８］  前記重畳符号化パケットの少なくとも一つの低位層はＧＳＭを含み、そして前記重畳符号化パケットの前記少なくとも一つの高位層はＯＦＤＭＡパケットを含む、［８１］記載の装置。
［８９］  重畳符号化に関するユーザ候補を編集する手段、評価関数の結果に基づいて前記ユーザ候補を位置付けする手段、前記ユーザ候補の中からふさわしいユーザ候補を選択する手段、及び他のユーザ・データ・パケットを前記ふさわしいユーザのパケットに付加する手段を含む重畳符号化パケットを編集する手段。
［９０］  評価関数は少なくとも一つのデータ速度要求を利用する、［８９］記載の重畳符号化パケットを編集する手段。
［９１］  前記評価関数は、
【数１２】
0005425868.tif 000025
を含み、但し、Ｆi(ｎ)は時間スロット「ｎ」におけるユーザ「ｉ」の評価関数であり（ｉ＝１，・・・，Ｎ）、ＤＲＣi (ｎ)は時間スロット「ｎ」において前記ユーザ「ｉ」によって要求された瞬間データ速度であり、Ｒi(ｎ) は適切なサイズの時間窓上で前記ユーザ「ｉ」によって旨く受取られた平均データ速度であり、そしてｍａｘi (・) はユーザの決定括弧の数値の極大値を返す、［８９］記載の重畳符号化パケットを編集する手段。
［９２］  前記評価関数は、
【数１３】
0005425868.tif 000026
を含み、但し、〈ＤＲＣi (ｎ)〉は適切なサイズの時間窓上で所与の時間スロット「ｎ」においてユーザ「ｉ」によって要求された平均データ速度を表す、［８９］記載の重畳符号化パケットを編集する手段。
［９３］  符号化前基準があるかどうかを決定する手段をさらに含む、［８９］記載の重畳符号化パケットを編集する手段。
［９４］  他のユーザ・データ・パケットを前記ふさわしいユーザのパケットに付加する前記手段は、重畳符号化のユーザ候補の一覧表を編集する手段、及び処理能力通信速度を最大にすることに基づいて前記ユーザ候補の少なくとも一つを選択する手段を含む、［８９］記載の重畳符号化パケットを編集する手段。
［９５］  前記ユーザ候補に関する前記データ・パケットは種々の無線通信標準規格に適合する、［８９］記載の重畳符号化パケットを編集する手段。
［９６］  他のユーザ・データ・パケットを前記ふさわしいユーザのパケットへ付加する前記手段は、前記最もふさわしいユーザのデータ速度制御より少ない要求データ速度制御を持つ前記ユーザ候補を取り除く手段をさらに含む、［９４］記載の重畳符号化パケットを編集する手段。
［９７］  他のユーザ・データ・パケットを前記ふさわしいユーザのパケットへ付加する前記手段は、一つ以上の前記ユーザ候補が同じ前記データ速度制御を持つならば、最も高い平均データ速度制御を持つ前記ユーザ候補を留保する手段をさらに含む、［９４］記載の重畳符号化パケットを編集する手段。
［９８］  他のユーザ・データ・パケットを前記ふさわしいユーザのパケットへ付加する前記手段は、前記ユーザ候補の間の電力割付けを計算する手段、前記ユーザ候補の少なくとも一つの結合について最大伝送速度を決定する手段、前記伝送速度を最大にする前記結合を選択する手段、及び前記選択された結合から前記重畳符号化パケットを編集する手段をさらに含む、［９４］記載の重畳符号化パケットを編集する手段。
［９９］  前記無線通信標準規格の少なくとも一つは直交周波数分割多元アクセスを使用する、［９５］記載の重畳符号化パケットを編集する手段。
［１００］  前記無線通信標準規格の少なくとも一つは符号分割多元アクセスを使用する、［９５］記載の重畳符号化パケットを編集する手段。
［１０１］  前記無線通信標準規格の少なくとも一つは汎欧州ディジタル・セルラー・システムを使用する、［９５］記載の重畳符号化パケットを編集する手段。
［１０２］  前記重畳符号化パケットは少なくとも一つの高位層及び少なくとも一つの低位層を含み、前記少なくとも一つの低位層は少なくとも一つの同報サービスを含み、そして前記少なくとも一つの高位層は個々のユーザ向けユニキャスト・トラヒックを含み、それにより同報及びユニキャスト・トラヒックの両者は共に伝送される、［９５］記載の重畳符号化パケットを編集する手段。
［１０３］  前記ユーザ候補の少なくとも一つの結合について前記最大伝送速度を決定する前記手段は次の数式、
【数１４】
0005425868.tif 000027
を使用し、但し、Ｒi は各ユーザ結合に関する最大伝送速度を表し、ＰT は重畳符号化パケットを伝送するために使用される総電力を表し、α（アルファ）は総伝送電力に適用されたスカラーを表し、そしてＮi は基地局によって入来信号に寄与する内部雑音の雑音スペクトル電力密度を表す、［２６］記載の重畳符号化パケットを編集する手段。
［１０４］  前記ユーザ候補の間で電力割付けを計算する前記手段は少なくとも一つのアルファ・スカラーを計算する手段を含む、［９５］記載の重畳符号化パケットを編集する手段。
［１０５］  前記重畳符号化パケットを伝送する手段、及び少なくとも一つの成功した復号ユーザの電力伝送を次に高い信号対情報及び雑音比を持つ不成功の前記復号ユーザに再割付ける手段をさらに含む、［９８］記載の重畳符号化パケットを編集する手段。
［１０６］  前記少なくとも一つの同報サービスは１ｘＥＶ-ＤＯにおける制御チャネルである、［１０２］記載の重畳符号化パケットを編集する手段。
［１０７］  前記少なくとも一つの同報サービスはプラチナ同報を含み、そこでは特別な領域向けの情報が伝送される、［１０２］記載の重畳符号化パケットを編集する手段。
［１０８］  前記重畳符号化パケットの少なくとも一つの低位層は１ｘＥＶ-ＤＯにおいて制御チャネルを含み、そして前記重畳符号化パケットの前記少なくとも一つの高位層はＯＦＤＭトーンを含む、［１０２］記載の重畳符号化パケットを編集する手段。
［１０９］  前記重畳符号化パケットの前記少なくとも一つの高位層はＯＦＤＭＡパケットを含む、［１０２］記載の重畳符号化パケットを編集する手段。
［１１０］  前記重畳符号化パケットの前記少なくとも一つの低位層はＧＳＭを含み、そして前記重畳符号化パケットの前記少なくとも一つの高位層はＯＦＤＭＡパケットを含む、［１０２］記載の重畳符号化パケットを編集する手段。
［１１１］  少なくとも一つのデータ・パケットを受取る手段、プリアンブルを読む手段、ユーザが最もふさわしいユーザであるかどうかを決定する手段、及び受信パケットを処理する手段を含む、重畳符号化パケットを処理する手段。
［１１２］  前記受信パケットを処理するステップは、前記ユーザが最もふさわしいユーザであるならば、総伝送電力の６０から１００％が割付けられたと仮定することによって前記受信された少なくとも一つのデータ・パケットを処理する手段を含む、［１１１］記載の重畳符号化パケットを処理する手段。
［１１３］  前記受信パケットを処理する前記手段は、より強いユーザに関する前記少なくとも一つのデータ・パケットを干渉として扱い、そしてそのようなデータ・パケットを相殺する手段、及びより弱いユーザを意味する前記少なくとも一つのデータ・パケットを復号し、そして引き算する手段を含む、［１１１］記載の重畳符号化パケットを処理する手段。
［１１４］  前記少なくとも一つのデータ・パケットは種々の無線通信標準規格に適合する、［１１１］記載の重畳符号化パケットを処理する手段。
［１１５］  前記処理された少なくとも一つのデータ・パケットについて承認を送る手段をさらに含む、［１１１］記載の重畳符号化パケットを処理する手段。
［１１６］  より強いユーザに関する前記少なくとも一つのデータ・パケットを干渉として扱い、且つそのようなデータ・パケットを相殺する手段は連続干渉相殺を使用することを含む、［１１３］記載の重畳符号化パケットを処理する手段。
［１１７］  前記重畳符号化パケットは少なくとも一つの高位層及び少なくとも一つの低位層を含み、前記少なくとも一つの低位層は少なくとも一つの同報サービスを含み、そして前記少なくとも一つの高位層は個々のユーザ向けユニキャスト・トラヒックを含み、それによって同報及びユニキャスト・トラヒックの両者は共に伝送される、［１１４］記載の重畳符号化パケットを処理する手段。
［１１８］  少なくとも一つの成功した復号ユーザの送信から少なくとも一つの不成功の復号ユーザへ電力を再割付けする手段をさらに含む、［１１５］記載の重畳符号化パケットを処理する手段。
［１１９］  前記層の全てのユーザがそれらのパケットの受取りを承認するならば、層に関する伝送を早く終了させる手段をさらに含む、［１１５］記載の重畳符号化パケットを処理する手段。
［１２０］  前記少なくとも一つの同報サービスは１ｘＥＶ-ＤＯにおける制御チャネルである、［１１７］記載の重畳符号化パケットを処理する手段。
［１２１］  前記少なくとも一つの同報サービスはプラチナ同報を含み、そこでは特定の領域向けの情報が伝送される、［１１７］記載の重畳符号化パケットを処理する手段。
［１２２］  前記重畳符号化パケットの前記少なくとも一つの低位層は１ｘＥＶ-ＤＯにおいて制御チャネルを含み、そして前記重畳符号化パケットの前記少なくとも一つの高位層はＯＦＤＭトーンを含む、［１１７］記載の重畳符号化パケットを処理する手段。
［１２３］  前記重畳符号化パケットの前記少なくとも一つの低位層はＯＦＤＭＡパケットを含む前記重畳符号化パケットの前記少なくとも一つの高位層を含む、［１１７］記載の重畳符号化パケットを処理する手段。
［１２４］  前記重畳符号化パケットの少なくとも一つの低位層はＧＳＭを含み、そして前記重畳符号化パケットの前記少なくとも一つの高位層はＯＦＤＭＡパケットを含む、［１１７］記載の重畳符号化パケットを処理する手段。
【図１】
0005425868.tif 000028
【図２】
0005425868.tif 000029
【図３】
0005425868.tif 000030
【図４】
0005425868.tif 000031
【図５】
0005425868.tif 000032
【図６】
0005425868.tif 000033
【図７−１】
0005425868.tif 000034
【図７−２】
0005425868.tif 000035
【図８Ａ】
0005425868.tif 000036
【図８Ｂ】
0005425868.tif 000037
【図８Ｃ】
0005425868.tif 000038
【図９Ａ】
0005425868.tif 000039
【図９Ｂ】
0005425868.tif 000040
【図９Ｃ】
0005425868.tif 000041
【図９Ｄ】
0005425868.tif 000042
【図９Ｅ】
0005425868.tif 000043
【図９Ｆ】
0005425868.tif 000044
【図９Ｇ】
0005425868.tif 000045
【図１０】
0005425868.tif 000046
【図１１】
0005425868.tif 000047
【図１２】
0005425868.tif 000048
【図１３−１】
0005425868.tif 000049
【図１３−２】
0005425868.tif 000050
【図１４】
0005425868.tif 000051